(57)【特許請求の範囲】
【請求項１】
遊技に関する制御を行う制御基板と、内部空間が形成されており、その内部空間に前記制御基板を収容する基板ケースと、を有する制御装置を備え、
前記基板ケースは、相互に組み合わされることにより前記内部空間の少なくとも一部を形成する第１ケース構成体及び第２ケース構成体を有し、
前記制御装置と、当該制御装置とは別に設けられた遊技機器と、がハーネスによって電気的に接続される遊技機において、
第１係合部及び第２係合部を有し、それら第１係合部及び第２係合部が係合状態となることにより前記制御装置からの前記ハーネスの取り外しを規制する規制手段を備え、
前記規制手段は、前記第１係合部及び前記第２係合部が前記係合状態となって前記ハーネスの取り外しを規制している場合に、前記第１係合部の一部であって前記第２係合部との係合が回避されている部分が前記第１ケース構成体及び前記第２ケース構成体に跨るようにしてそれら第１ケース構成体及び第２ケース構成体に設けられた挿入部に挿入されるように構成されており、
前記第１係合部にて前記挿入部に挿入されている部分により、前記第１ケース構成体及び前記第２ケース構成体の分離側への相対変位が規制されることを特徴とする遊技機。
【発明の詳細な説明】
【技術分野】
【０００１】
本発明は、遊技機に関するものである。
【背景技術】
【０００２】
パチンコ機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。制御基板は、基板ケースに収容された状態で遊技機に取り付けられており、同制御基板の基板ケース外への露出等が抑制されている。
【０００３】
この種の遊技機では、制御基板そのものや同制御基板のＲＯＭ（ＲＯＭがＣＰＵと共に１チップ化されている場合には当該チップ）が正規のものとは異なる不正なものに交換されるといった不正行為が数多く報告されている。このような不正行為に対処すべく、例えば、上記基板ケースに封印構造（いわゆる、カシメ構造）を設けて基板ケースの開封時には破壊等による開封痕跡を残すようにする等の不正対策が採用されている（例えば特許文献１参照）。このような不正対策は、基板ケースが開封された事実や制御基板が交換された事実を目視確認する場合にその確認作業を補助するものであり、またこのような不正対策の存在により不正行為を躊躇させる効果がある。
【先行技術文献】
【特許文献】
【０００４】
【特許文献１】特開２００３−１８０９１７号公報
【発明の概要】
【発明が解決しようとする課題】
【０００５】
しかしながら、上記封印構造等の不正対策が施されていても、未だに不正行為が行われているのが実状であり、制御装置における防犯機能の向上については未だ改善の余地がある。
【０００６】
本発明は、上記例示した事情等に鑑みてなされたものであり、制御基板に対する不正行為を好適に抑制することが可能な遊技機を提供することを目的とするものである。
【課題を解決するための手段】
【０００７】
本発明は、
遊技に関する制御を行う制御基板と、内部空間が形成されており、その内部空間に前記制御基板を収容する基板ケースと、を有する制御装置を備え、
前記基板ケースは、相互に組み合わされることにより前記内部空間の少なくとも一部を形成する第１ケース構成体及び第２ケース構成体を有し、
前記制御装置と、当該制御装置とは別に設けられた遊技機器と、がハーネスによって電気的に接続される遊技機において、
第１係合部及び第２係合部を有し、それら第１係合部及び第２係合部が係合状態となることにより前記制御装置からの前記ハーネスの取り外しを規制する規制手段を備え、
前記規制手段は、前記第１係合部及び前記第２係合部が前記係合状態となって前記ハーネスの取り外しを規制している場合に、前記第１係合部の一部であって前記第２係合部との係合が回避されている部分が前記第１ケース構成体及び前記第２ケース構成体に跨るようにしてそれら第１ケース構成体及び第２ケース構成体に設けられた挿入部に挿入されるように構成されており、
前記第１係合部にて前記挿入部に挿入されている部分により、前記第１ケース構成体及び前記第２ケース構成体の分離側への相対変位が規制されることを特徴とする。
【発明の効果】
【０００８】
制御基板に対する不正行為を好適に抑制することができる。
【図面の簡単な説明】
【０００９】
【図１】一実施の形態におけるパチンコ機の構成を示す前方から見た斜視図である。
【図２】遊技機本体の主要な構成を分解して示す分解斜視図である。
【図３】内枠の構成を示す正面図である。
【図４】遊技盤の構成を示す正面図である。
【図５】内枠の構成を示す背面図である。
【図６】裏パックユニットの構成を示す正面図である。
【図７】（ａ）音声ランプ制御装置の正面図、（ｂ）音声ランプ制御装置の背面図である。
【図８】音声ランプ制御装置を正面側から見た斜視図である。
【図９】音声ランプ制御装置を正面側から見た分解斜視図である。
【図１０】音声ランプ制御装置を背面側から見た分解斜視図である。
【図１１】（ａ）音声ランプ制御装置の一部を破断させた同音声ランプ制御装置の側面図、（ｂ）図１１（ａ）のＡ―Ａ線部分断面図である。
【図１２】基板ボックス形成時の両構成体の相対位置の変位の様子を示す概略図である。
【図１３】基板ボックス形成時の両構成体の相対位置の変位の様子を示す概略図である。
【図１４】ハーネスの取外規制かかる構成を示す部分拡大図である。
【図１５】図９の部分拡大図である。
【図１６】（ａ）拘束部材の斜視図、（ｂ）拘束部材の正面図、（ｃ）図１６（ｂ）のＤ−Ｄ線断面図である。
【図１７】（ａ）図１４（ｂ）のＢ−Ｂ線部分断面図、（ｂ）図１４（ｂ）のＣ−Ｃ線部分断面図である。
【図１８】図１４（ｂ）のＤ−Ｄ線部分断面図である。
【図１９】基板ボックスの組立作業の流れを示す概略図である。
【図２０】基板ボックスの組立作業の流れを示す概略図である。
【図２１】基板ボックスの組立作業の流れを示す概略図である。
【図２２】ハーネス及び拘束部材の取外作業の流れを示す概略図である。
【図２３】ハーネス及び拘束部材の取外作業の流れを示す概略図である。
【図２４】ハーネス及び拘束部材の取外作業の流れを示す概略図である。
【図２５】パチンコ機の電気的構成を示すブロック図である。
【図２６】取外規制にかかる構成の変形例を示す概略図である。
【発明を実施するための形態】
【００１０】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０における遊技機本体１２の分解斜視図である。なお、図２では便宜上パチンコ機１０の遊技領域内の構成を省略している。
【００１１】
図１に示すように、パチンコ機１０は、当該パチンコ機１０の外殻を形成する外枠１１と、この外枠１１に取り付けられた遊技機本体１２とを有している。
【００１２】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１３】
この外枠１１によって遊技機本体１２が開閉可能な状態で支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、同支持機構によって遊技機本体１２がパチンコ機１０の正面視で左側を回動基端側、右側を回動先端側としてパチンコ機１０の前方へ回動可能とされている。
【００１４】
遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１５】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００１６】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００１７】
次に、遊技機本体１２の前面側の構成について説明する。図３は内枠１３の正面図である。
【００１８】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００１９】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２０】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２１】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２２】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２３】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２４】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００２５】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００２６】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００２７】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００２８】
下側膨出部５８の右方には、手前側へ突出するようにしてハンドル装置５９が設けられている。ハンドル装置５９が操作されることにより、遊技球発射機構から遊技球が発射される。
【００２９】
次に、遊技機本体１２の背面側の構成について説明する。図５は内枠１３の背面図、図６は裏パックユニット１５の正面図である。
【００３０】
図５に示すように、内枠１３（遊技盤３３）の背面には、主制御装置ユニット６１及び音声ランプ制御装置ユニット６５が搭載されている。
【００３１】
主制御装置ユニット６１は、合成樹脂製の取付台を有し、取付台に主制御装置６２が搭載されている。主制御装置６２は、遊技の主たる制御を司る機能（主制御回路）及び電源を監視する機能（停電監視回路）を有する主制御基板を具備しており、当該主制御基板が透明な合成樹脂材料等よりなる基板ボックス６４に収容されてなる。
【００３２】
音声ランプ制御装置ユニット６５は、音声ランプ制御装置６６と、取付台とを具備する構成となっており、取付台上に音声ランプ制御装置６６が装着されている。音声ランプ制御装置６６は、主制御装置６２からの指示に従い音声やランプ表示、及び図示しない表示制御装置の制御を司る音声ランプ制御基板を具備しており、音声ランプ制御基板が透明な合成樹脂材料等よりなる基板ボックス６８に収容されて構成されている。
【００３３】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００３４】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００３５】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００３６】
ベース部７４の下端部には、制御装置集合ユニット７３が取り付けられている。制御装置集合ユニット７３は、横長形状をなす取付台８１を有し、取付台８１に払出制御装置８２と電源・発射制御装置８３とが搭載されている。これら払出制御装置８２と電源・発射制御装置８３とは、払出制御装置８２がパチンコ機１０後方となるように前後に重ねて配置されている。
【００３７】
払出制御装置８２は、基板ボックス８４内に払出装置７８を制御する払出制御基板が収容されて構成されている。電源・発射制御装置８３は、基板ボックス８５内に電源・発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００３８】
＜音声ランプ制御装置６６の構成＞
次に、音声ランプ制御装置６６の構成を図７〜図１０に基づいて詳細に説明する。図７（ａ）は音声ランプ制御装置６６の正面図、図７（ｂ）は音声ランプ制御装置６６の背面図、図８は音声ランプ制御装置６６を正面側から見た斜視図、図９は音声ランプ制御装置６６を正面側から見た分解斜視図、図１０は音声ランプ制御装置６６を背面側から見た分解斜視図である。
【００３９】
図８に示すように、音声ランプ制御装置６６は、横幅が縦幅よりも僅かに大きくなるようにして形成された略矩形状の上記音声ランプ制御基板６７と、同音声ランプ制御基板６７の外形に合わせて形成された四角箱状の上記基板ボックス６８（図８参照）とを備えており、当該基板ボックス６８によって区画形成された内部空間に音声ランプ制御基板が収容されてなる。
【００４０】
音声ランプ制御基板６７は、主たる制御を司るＭＰＵ、遊技プログラムを記憶したＲＯＭ、遊技の進行に応じた必要なデータを記憶するＲＡＭ等を備えている。本実施の形態においては、これらＭＰＵ等が１チップ化されてなるＭＰＵチップ９１が同音声ランプ制御基板６７に取り付けられている。また、詳細な説明は省略するが、音声ランプ制御基板６７には上記ＭＰＵチップ９１以外にも、入出力ドライバ用ＩＣチップ，ラッチ用ＩＣチップ，コンデンサ，抵抗などの各種素子や、複数のコネクタ９２が搭載されている。
【００４１】
図９及び図１０に示すように、音声ランプ制御基板６７においてはＭＰＵチップ９１等の各種構成が全て同一の板面上に搭載されており、それら各種構成はその逆側の板面にて半田付けされている。つまり、音声ランプ制御基板６７は、一方の板面が素子搭載面６７ａとなっており、他方の板面が半田面６７ｂとなっている。なお、半田面６７ｂとは、素子搭載面６７ａに搭載される各種素子の半田付け部分が設けられる面であるが、当該半田面６７ｂに対して回路パターンが形成されていてもよい。
【００４２】
基板ボックス６８は、音声ランプ制御基板６７を収容する被包手段としての機能を有しており、当該基板ボックス６８によって音声ランプ制御基板６７へのアクセスが規制されている。基板ボックス６８は、複数のボックス構成体として、音声ランプ制御基板６７を素子搭載面６７ａ側から覆う表側構成体（ボックスカバー）１００と音声ランプ制御基板６７を半田面６７ｂ側から覆う裏側構成体（ボックスベース）２００とを有し、それら両構成体１００，２００が相互に組み合わされてなる。これら表側構成体１００及び裏側構成体２００は、基板ボックス６８内に収容された音声ランプ制御基板６７の素子搭載面６７ａ及び半田面６７ｂが基板ボックス６８外から視認可能となるように透明性を有する材料によって形成されている。具体的には、基板ボックス６８は無色透明のポリカーボネート樹脂により形成されている。なお、基板ボックス６８内部を必ずしも視認可能とする必要はなく、例えば同基板ボックス６８を有色不透明とし、当該基板ボックス６８の内部を視認不可とすることも可能である。
【００４３】
表側構成体１００には、素子搭載面６７ａに対して隙間を隔てて対向する表側対向部１０１が形成されている。表側対向部１０１は、平板状のベース部１０２と当該ベース部１０２から音声ランプ制御基板６７とは反対側に膨出する膨出部１０３とを有してなる。
【００４４】
ベース部１０２には、素子搭載面６７ａに配設された上記各コネクタ９２に１対１で対応させてコネクタ用開口１０４が形成されており、これらコネクタ用開口１０４を介して各コネクタ９２の挿入口が基板ボックス６８の外部に露出した状態となっている。なお、ベース部１０２には、上記コネクタ用開口１０４以外にも、音声ランプ制御基板６７に設けられた音量調整用の操作部９３を基板ボックス６８の外部に露出させる操作部用開口１０５や通気孔等が設けられている。
【００４５】
図１０に示すように、表側対向部１０１の外縁には、表側構成体１００の周縁を規定する表側周縁部１１１が形成されている。表側周縁部１１１は、表側対向部１０１から音声ランプ制御基板６７側に起立しており、同音声ランプ制御基板６７を囲っている。つまり、表側構成体１００は音声ランプ制御基板６７側に開放された略矩形箱状をなしており、当該表側構成体１００によって囲まれた領域内に音声ランプ制御基板６７が収容されているともいえる。
【００４６】
音声ランプ制御基板６７は、表側構成体１００の表側対向部１０１に対して半田面６７ｂ側からネジ止めされており、音声ランプ制御基板６７の素子搭載面６７ａに搭載されたＭＰＵ９１等の各種素子が音声ランプ制御基板６７と表側構成体１００とによって区画された領域外へ露出することが回避されている。
【００４７】
音声ランプ制御基板６７が一体化された表側構成体１００に対して上記裏側構成体２００が固定されている。裏側構成体２００は、図９に示すように、音声ランプ制御基板６７の半田面６７ｂに対向する略平板状の裏側対向部２０１と、当該裏側対向部２０１の周縁に沿って形成され音声ランプ制御基板６７側に起立する裏側周縁部２１１とが一体形成されてなり、全体として音声ランプ制御基板６７側に開放された略箱状をなしている。
【００４８】
表側構成体１００に対して音声ランプ制御基板６７の半田面６７ｂ側から裏側構成体２００を組み合せることにより、表側構成体１００の表側周縁部１１１と裏側構成体２００の裏側周縁部２１１とが重なり、表側構成体１００の開放部分が裏側構成体２００によって塞がれた状態となっている。
【００４９】
ここで、表側構成体１００と裏側構成体２００との組み合せに関する構成について説明する。両構成体１００，２００の組み合せに関する構成としては、両構成体１００，２００の相対変位の方向を規定する規定手段と、両構成体１００，２００を相互に固定する固定手段とが採用されている。以下、先ず固定手段について説明し、その後、規定手段について説明する。
【００５０】
なお、以下の説明においては、表側構成体１００の表側周縁部１１１において、音声ランプ制御基板６７における短手方向両側に位置し同主制御基板６３を挟んで対峙する部分（すなわち長辺部の外壁を構成している上壁面部及び下壁面部）を第１表側周壁部１１２，１１３、音声ランプ制御基板６７における長手方向両側に位置し同音声ランプ制御基板６７を挟んで対峙する部分（すなわち短辺部の外壁を構成している左壁面部及び右壁面部）を第２表側周壁部１１４，１１５と称し、裏側構成体２００の裏側周縁部２１１において、音声ランプ制御基板６７における長手方向両側に位置し同音声ランプ制御基板６７を挟んで対峙する部分（すなわち長辺部の外壁を構成している上壁面部及び下壁面部）を第１裏側周壁部２１２，２１３、音声ランプ制御基板６７における長手方向両側に位置し同音声ランプ制御基板６７を挟んで対峙する部分（すなわち短辺部の外壁を構成している左壁面部及び右壁面部）を第２裏側周壁部２１４，２１５と称する。
【００５１】
＜固定手段＞
図９に示すように、表側構成体１００の第１表側周壁部１１３及び裏側構成体２００の第１裏側周壁部２１３には、基板ボックス６８における本体部６８ａ、すなわち音声ランプ制御基板６７の収容空間を区画形成している部分から突出するようにして、固定部１１８，２１８が一体形成されている。裏側固定部２１８にはネジ孔が形成されており、このネジ孔に連通するようにして表側固定部１１８には連通孔が形成されている。表側構成体１００側から連通孔を通じて挿入された破断ネジ６９がネジ孔に螺着されることで、両固定部１１８，２１８が結合されている。これにより、両構成体１００，２００が一体化されている。
【００５２】
破断ネジ６９は、ネジ溝を含む軸部と、その軸部を回転操作する際にドライバ等の工具が係合される工具係合部を含む頭部と、その工具係合部に所定トルク以上の回転力が加えられることにより頭部と軸部とを分離させる分離部とを備えている。両固定部１１８，２１８を結合した状態では、頭部が分離されることにより上記工具を用いた破断ネジ６９の取り外しが不可となる。これにより、基板ボックス６８内に音声ランプ制御基板６７が封入された状態となっている。
【００５３】
固定部１１８，２１８は、破断ネジ６９によって固定されている部分と基板ボックス６８において音声ランプ制御基板６７の収容空間を区画形成している本体部６８ａとを連結する連結部１１８ａ，２１８ａを有している。連結部１１８ａ，２１８ａは、上記破断ネジ６９、固定部１１８，２１８の本体部分、基板ボックス６８の本体部６８ａ等を破壊して基板ボックス６８を開封するよりも、当該開封が容易となるように破壊しやすく形成されている。
【００５４】
例えばニッパ等の工具を用いて連結部１１８ａ，２１８ａを切断することにより、破断ネジ６９が固定部１１８，２１８とともに本体部６８ａから分離され、基板ボックス６８が開封される。この場合、破壊の痕跡が基板ボックス６８に残存することとなり、当該基板ボックス６８が開封された事実を事後的に確認することが可能となる。
【００５５】
＜規定手段＞
次に、図９〜図１１を参照して、規定手段について説明する。図１１（ａ）は音声ランプ制御装置６６の一部を破断させて示す側面図、図１１（ｂ）は図１１（ａ）のＡ―Ａ線部分断面図である。なお、図１１（ｂ）においては便宜上、コネクタ９２を２点鎖線によって示している。
【００５６】
図９に示すように、裏側構成体２００は規定手段を構成するフック部（係止部又は裏側規制部）２２１を有している。フック部２２１は、各第２裏側周壁部２１４，２１５の外面に一体成形されているとともにそれら第２裏側周壁部２１４，２１５にそれぞれ複数（詳しくは４つ）設けられている。それらフック部２２１は、所定の間隔で上記短手方向に並ぶようにして配列されている（図９参照）。
【００５７】
ここで、図９を参照してフック部２２１の形状について説明する。フック部２２１は、第２裏側周壁部２１４，２１５の先端部分から表側構成体１００側に延出する延出部２２２と、延出部２２２の先端部に設けられ第１裏側周壁部２１３側に折れ曲る折曲部２２３とを有してなる。
【００５８】
一方、表側構成体１００の第２表側周壁部１１４，１１５には、各フック部２２１に１対１で対応させて受け部１２１が設けられている。受け部１２１は、基板ボックス６８の厚さ方向に貫通するスリット状をなしている。詳しくは、第２表側周壁部１１４，１１５は、内外２重に設けられた１対の対向壁部（外側壁部１１４ａ，１１５ａ及び内側壁部１１４ｂ，１１５ｂ）と、それら外側壁部１１４ａ，１１５ａ及び内側壁部１１４ｂ，１１５ｂを連結する連結部１１４ｃ，１１５ｃとを有しており、これら壁部１１４ａ，１１５ａ，１１４ｂ，１１５ｂ及び連結部１１４ｃ，１１５ｃによって受け部１２１が構成されている。
【００５９】
受け部１２１は、裏側構成体２００側に開放されており、当該開放部分を通じた上記フック部２２１の挿入が許容されている。また、外側壁部１１４ａ，１１５ａ及び内側壁部１１４ｂ，１１５ｂの間隔は、挿入されたフック部２２１の受け部１２１内での変位を許容するように設定されている。外側壁部１１４ａ，１１５ａ及び内側壁部１１４ｂ，１１５ｂの間隔について補足説明すれば、同間隔はフック部２２１の厚さと同等となるように設定されており、受け部１２１に挿入されたフック部２２１は外側壁部１１４ａ，１１５ａ及び内側壁部１１４ｂ，１１５ｂによって挟まれた状態となっている。これにより、上記長手方向における両構成体１００，２００の相対変位が規制されている。
【００６０】
ここで、連結部１１４ｃ，１１５ｃには、隣り合う受け部１２１を区画する機能が付与されており、同連結部１１４ｃ，１１５ｃによって受け部１２１に対するフック部２２１の挿入箇所が制限されている。具体的には、連結部１１４ｃ，１１５ｃは、スリット状の受け部１２１の全体を閉塞しているのではなく、一部のみを閉塞している。そして、隣り合う連結部１１４ｃ，１１５ｃによって構成されたフック部２２１用の入口部分の大きさは、フック部２２１の配列方向における大きさよりも大きくなっている。このため、受け部１２１に対して裏側からフック部２２１を挿入する場合には、同フック部２２１の挿入軌道上から連結部１１４ｃ，１１５ｃが外れるようにすることにより、同受け部１２１へのフック部２２１の挿入が許容される。
【００６１】
表側構成体１００と裏側構成体２００とが一体化された状態では、図１１に示すように、受け部１２１内にフック部２２１が挿入されており、フック部２２１の折曲部２２３が受け部１２１の連結部１１４ｃ，１１５ｃに対して音声ランプ制御装置６６における表側から当接している。これにより、フック部２２１と受け部１２１とが引っ掛かかり、裏側構成体２００からの表側構成体１００の浮き上がりが規制されている。また、同連結部１１４ｃ，１１５ｃがフック部２２１の延出部２２２に対して折曲部２２３の先端側から当接しており、上記短手方向における組み合わせ側への両構成体１００，２００の相対変位が規制されている。
【００６２】
折曲部２２３と連結部１１４ｃ，１１５ｃとは上記短手方向に延びており、両構成体１００，２００を相対変位させる際には組み合わせ完了位置を含む所定の範囲で当接状態が維持されるように形成されている。これにより、両構成体１００，２００が上記短手方向へのスライド操作により組み合せられる又は分離される構成となっている。
【００６３】
上述したように、受け部１２１に対するフック部２２１の挿入箇所が制限されている構成においては、受け部１２１とフック部２２１との位置関係を目視で確認しながら両構成体１００，２００を組み合せる必要が生じる。特に、フック部２２１及び受け部１２１を音声ランプ制御基板６７を挟んだ両側にそれぞれ複数組設けている場合には、上述した浮き上がり等の規制機能を好適に発揮させることができる反面、両構成体１００，２００の組み合せ作業がやりにくくなると想定される。
【００６４】
そこで、本実施の形態においては、予め定められた手順で両構成体１００，２００を組み合せることにより、目視によって受け部１２１とフック部２２１との位置合わせを行うことなく、同受け部１２１の入口部分へとフック部２２１が導かれる構成、すなわち上記スライド操作の準備状態とする構成を採用している。以下、図９及び図１１を参照して、かかる構成について説明する。
【００６５】
図１１に示すように、表側構成体１００の第１表側周壁部１１２と裏側構成体２００の第１裏側周壁部２１２とは、前者が内側、後者が外側として内外に重なるよう形成されている。第１表側周壁部１１２の先端部分には、当該第１表側周壁部１１２から第１裏側周壁部２１２側に突出する突出部１３１が形成されている。
【００６６】
突出部１３１は、第１表側周壁部１１２から起立するようにして形成されたアーム部１３２と、当該アーム部１３２の先端部分を第１表側周壁部１１２の基端側へ折り曲げるようにして形成された爪部１３３とによって構成されており、少なくとも爪部１３３を含む部分が第１裏側周壁部２１２に形成された挿入部２３１に挿入されている。
【００６７】
挿入部２３１については、予め定められた方向からの上記突出部１３１の挿入を許容する一方で、同方向以外の方向からの突出部１３１の挿入を不可とするようにして形成されている。より詳しくは、挿入部２３１の入口部としての開口２３２は、上記規定手段によって規定されたスライド方向（短手方向）を向く成分と音声ランプ制御装置６６の表側を向く成分とを有しており、当該スライド方向における擬似開口面積ＦＳよりも、実際の開口面積ＡＳ（すなわちスライド方向とは異なる特定方向における実開口面積ＡＳ）のほうが大きくなっている。そして、それら開口面積ＦＳ，ＡＳのうち擬似開口面積ＦＳは突出部１３１の通過を不可とする大きさに設定され、実開口面積ＡＳは突出部１３１の通過を許容する大きさに設定されている。つまり、裏側構成体２００に対して表側構成体１００を斜めに傾けた状態（上記特定方向となるように傾けた状態）で突出部１３１を挿入部２３１へ差し込むことにより、開口２３２と突出部１３１との干渉が回避され、爪部１３３が挿入部２３１内に嵌まる構成となっている。
【００６８】
挿入部２３１には、開口２３２を構成するとともに爪部１３３に対して突出部１３１の挿入方向における手前側から引っ掛かることで挿入部２３１からの突出部１３１の脱落を阻止する開口フランジ部２３３が形成されている。より具体的には、上述した特定方向からの挿入によって両構成体１００，２００のなす角が所定の角度となっている場合には突出部１３１（詳しくは爪部１３３）と開口フランジ部２３３との引っ掛かりを回避可能となっているが、表側構成体１００及び裏側構成体２００が両者のなす角度が上記所定の角度から外れている場合（例えば小さくなるように相対変位した場合）には、開口フランジ部２３３に対して突出部１３１が引っ掛かり、両構成体１００，２００の分離が制限されることとなる。
【００６９】
ここで、図１２及び図１３を参照して、両構成体１００，２００の組み合わせる際の作業の流れについて説明する。図１２及び図１３は、基板ボックス形成時の両構成体の相対位置の変位の様子を示す概略図であり、図１２（ａ）→図１２（ｂ）→図１３（ｃ）→図１３（ｄ）の順に作業が行われる。なお、表側構成体１００と裏側構成体２００とは、相対変位によって組み合せられるが、この際、表側構成体１００に対して裏側構成体２００を変位させた場合と、裏側構成体２００に対して表側構成体１００を変位させた場合とでは実質的に同一の結果となる。そこで以下の説明では、裏側構成体２００に対して表側構成体１００をスライドさせた場合について例示する。
【００７０】
両構成体１００，２００を組み合わせる際には先ず、図１２（ａ）に示すように、表側構成体１００を裏側構成体２００に対して斜めに傾ける。そして、図１２（ａ）→図１２（ｂ）に示すように、表側構成体１００を、当該表側構成体１００の突出部１３１が裏側構成体２００の挿入部２３１に嵌まるようにして移動させる。
【００７１】
突出部１３１が挿入部２３１に嵌まった後は、表側構成体１００を挿入部２３１を中心として裏側構成体２００側に回動させる。そして回動操作中に、表側構成体１００を挿入方向とは逆側に引っ張ることにより、上記爪部１３３が開口フランジ部２３３に対して当接し、表側構成体１００の回動中心のばらつきが抑えられる。
【００７２】
そのまま、表側構成体１００を裏側構成体２００に対して重なる位置へと回動させることにより、表側構成体１００の受け部１２１に対して裏側構成体２００のフック部２２１が挿入されることとなる。この際、爪部１３３と開口フランジ部２３３を当接させたまま回動させることにより、フック部２２１と受け部１２１とが干渉して表側構成体１００と裏側構成体２００との相対変位が妨げられるといった不都合を回避することができる。
【００７３】
図１３（ｃ）に示すように、表側構成体１００の回動操作を終えた後は、表側構成体１００を裏側構成体に対してスライド移動させる。具体的には、図１３（ｃ）に示す状態では、第１表側周壁部１１２と第１裏側周壁部２１２との間に隙間が生じたままとなっており、第１裏側周壁部２１２に対して第１表側周壁部１１２が当接するように、表側構成体１００をスライド移動させる。
【００７４】
かかるスライド移動の過程では、先ずフック部２２１が受け部１２１の連結部１１２ｃ，１１３ｃに対して表側から当接することにより、スライド方向以外の方向への移動が規制される。そして、図１３（ｃ）→図１３（ｄ）に示すように、表側構成体１００が裏側構成体２００に対する装着完了位置へ到達することにより、両構成体１００，２００の組み合わせが完了する。このように両構成体１００，２００の組み合わせを完了した後は、例えば図９に示す破断ネジ６９等の固定具を用いて両固定部１１８，２１８を結合して両構成体１００，２００を一体化させることにより、音声ランプ制御基板６７を基板ボックス６８内に封印することができる。
【００７５】
次に、基板ボックス６８を分解する場合の作業の流れについて説明する。基板ボックス６８を分解する場合には、図１２（ａ）→図１２（ｂ）→図１３（ｃ）→図１３（ｄ）の順に作業が行われる。
【００７６】
基板ボックス６８を分解する場合には、連結部１１８ａ，２１８ａを切断することで、破断ネジ６９によって固定されている部分を基板ボックス６８の本体部６８ａから分離する。
【００７７】
図５に示すように、音声ランプ制御装置６６が遊技盤３３に搭載されることで、音声ランプ制御装置６６及び主制御装置６２は前者を上側、後者を下側として上下に並んだ状態となる。音声ランプ制御装置６６はハーネスＨを介して主制御装置６２に対して電気的に接続されている。より具体的には、ハーネスＨはケーブルＣＡと当該ケーブルの両端に設けられたコネクタＣ１，Ｃ２を有してなり、コネクタＣ１が音声ランプ制御装置６６（音声ランプ制御基板６７）に設けられたコネクタ９２に対して結合され、コネクタＣ２が主制御装置６２に設けられたコネクタに対して結合されることで両制御装置６２，６６が電気的に接続されている。このハーネスＨを通じて主制御装置６２から音声ランプ制御装置６６に各種信号が送信され、音声ランプ制御装置６６においてはハーネスＨを通じて受信した信号に基づき遊技にかかる各種処理を実行する。
【００７８】
このように複数の制御装置を併用して遊技に関する制御を分けて実行する構成とすることにより制御負荷を分散することができる。しかしながら、このような構成においては制御装置同士を電気的に接続するための手段として上記ハーネス等が必要となることに起因して、以下の不都合が生じ得る。すなわち、基板ボックス等で覆われている制御基板そのものではなく、接続手段又は信号伝達手段としてのハーネスが遊技機に対する不正行為の足掛かりとして狙われやすくなる。そこで、本実施の形態においては、上記ハーネスＨの取り外しを規制する構成を採用し、防犯機能の向上を図っている。
【００７９】
以下、図５、図１４及び図１５に基づいて、ハーネスＨの取り外しを規制する構成について説明する。本実施の形態においては、ハーネスＨの取り外しを規制する構成として、上記各コネクタＣ１，Ｃ２に設けられ制御装置６２，６６からの取り外しを規制する手段としての係止部と、ハーネスＨのケーブルＣＡを拘束することにより音声ランプ制御装置６６からのハーネスＨの取り外しを規制する規制手段とが設けられているが、前者については周知の構成であるため説明を省略し、後者の規制手段について詳細に説明する。図１４はハーネスの取外規制にかかる構成を示す部分拡大図、図１５はハーネスの取外規制にかかる構成を示す分解斜視図である。なお、図１５においては便宜上音声ランプ制御基板６７を省略している。
【００８０】
＜ハーネスＨの取り外しを規制する構成＞
図５に示すように、音声ランプ制御装置６６における複数のコネクタ９２のうちハーネスＨに対応するものについては音声ランプ制御装置６６における左側の端部に配されている。そのコネクタ９２の下方であって、同コネクタ９２と主制御装置６２との間となる部位に、ハーネスＨを拘束する拘束部材３００が配設されている。
【００８１】
図１４及び図１５に示すように、拘束部材３００は音声ランプ制御装置６６に取り付けられており、当該拘束部材３００を介して音声ランプ制御装置６６にハーネスＨが取り付けられている。拘束部材３００については、基板ボックス６８の本体部６８ａから側方に張り出して設けられた部分に配設されている。これは、拘束部材３００を経由させてハーネスＨを配設した場合に、同ハーネスＨが音声ランプ制御基板６７の前方を横切ることを抑制している。ハーネスＨを拘束した場合には、確認作業時等に手でハーネスＨを邪魔にならない位置へずらすことが困難になる。そこで、予めハーネスＨを音声ランプ制御基板６７（詳しくは素子搭載面６７ａ）の視認の妨げとなることを回避するようにして取り回すことにより、拘束部材３００の採用に起因した作業性の悪化を回避している。
【００８２】
以下の説明においては、先ず図１６を参照して拘束部材３００単体の構成について説明し、その後、拘束部材３００と音声ランプ制御装置６６との関係について説明する。図１６（ａ）は拘束部材の斜視図、図１６（ｂ）は拘束部材の正面図、図１６（ｃ）は図１６（ｂ）のＢ−Ｂ線断面図である。
【００８３】
図１６（ａ）に示すように、拘束部材３００は、撓み変形可能に設けられた帯状をなす複数のバンド３１０と、これら複数のバンド３１０の一端側を連結する本体部３２０とを有している。本体部３２０には、バンド３１０を挿入可能となっており、挿入されたバンド３１０と係合する係合孔３２１が形成されている。なお、以下の説明においてはバンド３１０において本体部３２０と連なっている側の端部を「基端部」、本体部３２０が形成されている側とは反対側の端部を「先端部」として区別する。
【００８４】
図１６（ｃ）に示すように係合孔３２１は本体部３２０を貫通しており、一方の開口が挿入口３２２、他方の開口が排出口３２３となっている。以下、挿入口３２２→排出口３２３へのバンド３１０の変位を第１方向への変位、排出口３２３→挿入口３２２へのバンド３１０の変位を第２方向への変位とする。
【００８５】
バンド３１０の片側の板面には当該バンド３１０の長手方向に凹凸が繰り返すように形成された歯部３１１が所定の範囲に亘って形成されており、係合孔３２１の途中位置には、バンド３１０が挿通された場合に歯部３１１と係合する突起３２４が形成されている。より詳しくは、係合孔３２１にバンド３１０が挿通されることにより同バンド３１０及び本体部３２０によって略環状の拘束部が形成されるが、この場合に歯部３１１が当該バンド３１０の内側を向くようにして上記挿入口３２２及び排出口３２３が設定されており、係合孔３２１の内周面において上記歯部３１１と対向する部位に突起３２４が形成されている。突起３２４が歯部３１１に対して係合することによりバンド３１０の第２方向への変位（戻り）が規制される。これらバンド３１０（歯部３１１を含む）及び係合孔３２１（突起３２４を含む）によってハーネスＨを拘束する拘束手段が構成されている。
【００８６】
歯部３１１を構成する各凸部３１１ａは略三角形状をなしており、それら凸部３１１ａにおいてバンド３１０の先端側となる部位は比較的緩やかな傾斜面、基端側となる部位はそれに比べて急な（ほぼ垂直な）傾斜面となっている。一方、係合孔３２１の突起３２４についても略三角形状をなしており、同突起３２４において挿入口３２２側となる部位は比較的緩やかな傾斜面、排出口３２３側となる部位はそれに比べて急な（ほぼ垂直な）傾斜面となっている。
【００８７】
このため、第１方向へとバンド３１０が押し込まれた場合には、凸部３１１ａ及び突起３２４の緩やかな傾斜面同士が当接することにより、バンド３１０が突起３２４に対する掛かり代が小さくなる側へ押されることとなる。ここで、拘束部材３００については、本体部３２０を含めた全体が弾性変形可能な合成樹脂材料によって形成されており、掛かり代が小さくなる側へ押されたバンド３１０が係合孔３２１の内壁面を押圧することにより、係合孔３２１が僅かに拡張されることとなる。これにより、第１方向へ向けた押し込み操作に基づくバンド３１０の変位については許容されることとなる。
【００８８】
一方、凸部３１１ａと突起３２４とが係合している状態では、上記第２方向へバンド３１０を引っ張ったとしても、当接している部分が第２方向と略垂直となる平面状をなしているため、操作力が掛かり代が小さくなる側へバンド３１０を変位させるようには作用しない。つまり、拘束部材３００については、一旦係合状態となった後は当該係合状態をバンド３１０を押し引きすることで解除することが困難となるように構成されている。拘束部材３００による規制を解除する場合には、係合状態を解除するのではなく、ニッパやカッタ等の工具を用いてバンド３１０を破壊（切断）する必要がある。
【００８９】
本実施の形態における拘束部材３００については、取り外しを規制している１のバンド３１０を破壊してハーネスＨを取り外した場合に、同ハーネスＨの取り外しを再度規制することができるように複数回の使用が許容される構成となっている。具体的には、図１６（ａ）に示すように、複数組（詳しくは４つ）の拘束手段がバンド３１０の幅方向（すなわちハーネスＨが通過する方向）に並設されている。
【００９０】
上述したように、ハーネスＨの取り外し規制を解除する際にはバンド３１０の破壊が必要となる。このようにバンド３１０が破壊されるため、破壊されたバンド３１０を用いて再度ハーネスＨの取り外しを規制することは困難になる。ここで、他のバンド３１０を用いてハーネスＨの取り外しを規制することにより、取外規制を解除した痕跡を残存させつつ、ハーネスＨの取り外しを再度規制することができる。
【００９１】
図１６に示すように、拘束部材３００の本体部３２０には、基板ボックス６８に対する取付部３３１が、係合孔３２１を挟んでバンド３１０とは反対側に設けられている。取付部３３１は、係合孔３２１が形成されている部分からバンド３１０とは反対側に起立する板状部３３２と、当該板状部３３２の先端部分に設けられ上記第１方向に折れ曲る折曲部３３３とによって構成されている。以下、図１４〜図１７を参照して、基板ボックス６８に対する拘束部材３００の取り付けに関する構成について説明する。図１７は（ａ）は図１４（ｂ）のＣ−Ｃ線部分断面図、図１７（ｂ）は図１４（ｂ）のＤ−Ｄ線部分断面図である。
【００９２】
図１４に示すように、基板ボックス６８には取付部３３１に対応させて取付ベース７０が設けられている。取付ベース７０は、図１５に示すように、表側構成体１００の第２表側周壁部１１４に設けられた表側ベース部１５０と、裏側構成体２００の第２裏側周壁部２１４に設けられた裏側ベース部２５０とが組み合わされてなる。
【００９３】
図１７に示すように、表側ベース部１５０には、拘束部材３００の本体部３２０及び取付部３３１を収容する収容部１５１が形成されている。収容部１５１は、音声ランプ制御基板６７の表側に開放された凹状をなしており（図１５参照）、その内部に取付部３３１及び本体部３２０が収容する一方、バンド３１０について当該収容部１５１外に突出するようにして形成されている。
【００９４】
拘束部材３００については、バンド３１０がフック部２２１及び受け部１２１によって規定された上記スライド方向と同じ方向に並ぶとともにそれらバンド３１０の先端部が本体部６８ａ側を向くようにして配置されている。
【００９５】
このようにして配置された拘束部材３００の本体部３２０において排出口３２３側となる部分及び板状部３３２に対して、収容部１５１の底部１５２が当接している。収容部１５１における表側への開放部分には、当該開放部分における本体部６８ａに対して遠い側の一部を覆うようにして覆い部１５３が形成されており、取付部３３１の先端部（折曲部３３３）が収容部１５１の内壁面に対して本体部６８ａ側から当接した状態（取付完了位置に配された状態）においては、当該覆い部１５３が板状部３３２に対して音声ランプ制御装置６６の表側から当接している。つまり、板状部３３２は覆い部１５３及び底部１５２によって挟まれた状態となっており、それら覆い部１５３及び底部１５２によって音声ランプ制御装置６６の厚さ方向への変位が規制されている。
【００９６】
また、底部１５２には、裏側構成体２００側に貫通する開口部１５４が形成されている（図１５参照）。開口部１５４は、拘束部材３００を取り付ける際に折曲部３３３の通過を許容する大きさに形成されており、折曲部３３３のほぼ全体が当該開口部１５４を通じて裏側構成体２００側に露出している。
【００９７】
裏側ベース部２５０は表側ベース部１５０と対向する対向部２５１を有してなり、その対向部２５１によって上記開口部１５４が覆われている。このようにして、開口部１５４を覆うことにより、取付ベース７０の外部から開口部１５４を通じて折曲部３３３にアクセスすることが困難となっている。
【００９８】
対向部２５１には、上記折曲部３３３に対して取付時のスライド方向における先側から当接することにより、拘束部材３００の取外方向への変位を不可とするストッパ部２５２が形成されている。ストッパ部２５２は、表側ベース部１５０側に突出しており、少なくともその先端部分が、拘束部材３００を取り外す際に折曲部３３３が通過する経路上に位置している。より詳しくは、両構成体１００，２００が組み合せられた状態では折曲部３３３が収容部１５１の内壁面とストッパ部２５２とによって挟まれるようにして形成されている。
【００９９】
本実施の形態においては、上記覆い部１５３及び底部１５２以外にも収容部１５１における拘束部材３００の変位を規制する構成が採用されている。具体的には、図１５に示すように、表側ベース部１５０において収容部１５１よりも本体部６８ａ寄りとなる部位（表側ベース部１５０の基端部分）には、バンド３１０を挿通させる挿通部１６１が形成されている。
【０１００】
挿通部１６１は表側ベース部１５０の表面から突出するようにして形成され、バンド３１０の並設方向（構成体１００，２００のスライド方向）に延びる突条部分に収容部１５１側と本体部６８ａ側とに開放された貫通孔が形成されてなる。挿通部１６１における貫通孔の内形はバンド３１０の外形に合わせて形成されている。挿通部１６１に対してバンド３１０を挿通させた状態では、同バンド３１０の挿通部１６１に当接することにより変位が規制されることとなる。
【０１０１】
基板ボックス６８において挿通部１６１に対して収容部１５１とは反対側となる部位には、上記膨出部１０３を構成する傾斜部１０７が位置している。傾斜部１０７の途中位置、詳しくは傾斜部１０７において膨出部１０３の頂部１０８寄りとなる位置には、バンド３１０が挿入される挿入孔１０９が形成されている。挿入孔１０９は基板ボックス６８の内外に貫通しており、それら挿入孔１０９に対してバンド３１０の先端部が挿入されることで、バンド３１０の自由端を含む凡そ半分が基板ボックス６８内に収容された状態となっている。但し、４つのバンド３１０のうち１つは、遊技機を組み立てた際に直ちに使用されることとなるため、挿入孔１０９については残りの３つに対応するものに限られている（図１４（ａ）参照）。
【０１０２】
基板ボックス６８内にバンド３１０を収容した場合には、当該バンド３１０が音声ランプ制御基板６７に搭載されたＭＰＵ９１等の各種素子に干渉することは好ましくない。そこで、本実施の形態においては、取付ベース７０よりも挿入孔１０９を頂部１０８に近い位置に配することで、そのような不都合の発生を抑えている。具体的には、挿入孔１０９に挿通されたバンド３１０は、頂部１０８に対して基板ボックス６８の内側から当接し、更には自身が撓むことにより頂部１０８側へ付勢された状態となる。このため、バンド３１０の先端部分については自由端となっているものの、実質的に音声ランプ制御基板６７側へ変位することがない。特に、バンド３１０は、挿通部１６１を経由しており、当該挿通部１６１によってバンド３１０の変位が規制されている。これにより、基板ボックス６８内でのバンド３１０の変位が一層好適に抑えられている。
【０１０３】
図１７（ａ）に示すように、バンド３１０を、挿通部１６１に通した状態でその先端部を当該挿通部１６１側へ折り曲げてハーネスＨの外周に沿うようにして湾曲させることにより、同ハーネスＨがバンド３１０によって囲まれた状態となっている。バンド３１０の先端部は本体部３２０の係合孔３２１に挿通されており、バンド３１０及び本体部３２０によって環状をなす拘束部が形成されている。そして、バンド３１０の歯部３１１と係合孔３２１の突起３２４とが係合することで、ハーネスＨの取り外しが不可となっている。
【０１０４】
バンド３１０及び本体部３２０によって形成されたハーネスＨ用の通過領域については、上述の如くバンド３１０と本体部３２０とが係合した状態では、ハーネスＨの両側の端部に設けられたハーネス側コネクタＣ１，Ｃ２の通過を不可とする大きさとなるように設定されている。このため、係合状態となった後は、コネクタＣ１，Ｃ２の何れかを上記通過領域を潜らせてバンド３１０を取り外すといった行為が困難となる。
【０１０５】
以上詳述したようにバンド３１０及び係合孔３２１によってハーネスＨを拘束し、同ハーネスＨの音声ランプ制御装置６６からの取り外しを規制する構成においては、バンド３１０において上記拘束部を構成している環状部分が係合孔３２１への挿入方向とは反対側へ引っ張られることで、上記拘束状態が無理矢理に解除されることが懸念される。仮に、このような行為がなされた場合には、ハーネスＨが不正なものに交換されたとしても、その事実を把握することが困難となる。
【０１０６】
本実施の形態においては、このような不正行為を考慮して、ハーネスＨの不正交換（取り外し）が行われた事実の隠蔽を妨げる工夫が施されている。すなわち、拘束部材３００からハーネスＨを取り外す場合にバンド３１０の破壊が必須となるように構成されており、例えばバンド３１０を上記挿入方向とは反対側へ引っ張る等して係合状態を解除することでバンド３１０を破壊することなく拘束を解除するといった行為が不可となるような工夫が施されている。
【０１０７】
具体的には、図１６（ａ）に示すように、バンド３１０において歯部３１１が形成されている側とは反対側には、局所的に強度が低くなるようにして形成された脆弱部３１２が複数（本実施の形態においては２つ）形成されている。脆弱部３１２は、バンド３１０の幅方向に延びる切込み状をなしており、バンド３１０の他の部分と比較して薄くなるようにして形成されている。
【０１０８】
それら脆弱部３１２は、図１７（ａ）に示すハーネスＨの拘束状態においては、係合孔３２１とバンド３１０との係合箇所（詳しくは突起３２４）よりも上記挿入方向における手前側に位置している。より詳しくは、脆弱部３１２はバンド３１０の長手方向に並べて配されており、少なくともそれら脆弱部３１２のうちバンド３１０の先端寄りに配された１つが、係合孔３２１内（詳しくは突起３２４よりも挿入口３２２寄りとなる領域）に位置している。言い換えれば、バンド３１０における脆弱部３１２の位置は、ハーネスＨの外形との関係からそれ以上の挿入が不可となるまでバンド３１０が押し込まれることにより同脆弱部３１２が係合孔３２１内（詳しくは突起３２４よりも挿入口３２２寄りとなる領域）に配置されるように設定されている。かかる配置を採用することにより、仮にバンド３１０において音声ランプ制御装置６６の正面側へ凸となっている部分が引っ張られた場合には、その負荷が脆弱部３１２に集中する構成となっている。
【０１０９】
脆弱部３１２は、歯部３１１及び突起３２４による係合を解除するのに必要な操作力よりも小さな操作力によって破壊されるようにしてその強度が設定されている。このため、上述したようにバンド３１０が引っ張られた場合には、その力が係合解除のレベルに達する前に破壊強度を超えるため、脆弱部３１２が破壊されてハーネスＨの取り外しの痕跡が残存することとなる。これにより、取り外しの痕跡を残さないようにしてハーネスＨが取り外されるといった不都合を生じにくくしている。
【０１１０】
拘束部材３００と両構成体１００，２００との関係の説明に戻る。表側ベース部１５０の底部１５２には係合孔３２１に連通する表側連通孔１５５が形成されており、裏側ベース部２５０の対向部２５１には表側連通孔１５５に連通する裏側連通孔２５５が形成されている。各連通孔１５５，２５５は係合孔３２１の延長方向に貫通している。これら係合孔３２１及び連通孔１５５，２５５によってバンド３１０用の通路が形成され、バンド３１０の先端部が係合孔３２１→表側連通孔１５５→裏側連通孔２５５を通じて基板ボックス６８の裏側へ突出している。
【０１１１】
本実施の形態においては、バンド３１０を用いて両構成体１００，２００の分離を規制することを特徴の１つとしている。以下、かかる機能を実現する構成について図１８を参照して説明する。図１８は図１４のＥ−Ｅ線部分断面図であり、バンド３１０、係合孔３２１、連通孔１５５，２５５の関係を示す概略的に示している。
【０１１２】
なお、以下の説明においては、４つのバンド３１０及び係合孔３２１のうち、最も回動先端寄りに位置するものを「第１バンド３１０Ａ」及び「第１係合孔３２１Ａ」と称し、同第１バンド３１０Ａ及び第１係合孔３２１Ａと横並びとなる他のものを順に「第２バンド３１０Ｂ」〜「第４バンド３１０Ｄ」及び「第２係合孔３２１Ｂ」〜「第４係合孔３２１Ｄ」と称する。
【０１１３】
表側ベース部１５０における表側連通孔１５５は、各係合孔３２１Ａ〜３２１Ｄに１対１で対応する複数の貫通孔によって構成されている。これに対して、裏側ベース部２５０の裏側連通孔２５５は、全ての表側連通孔１５５Ａ〜１５５Ｄに対応させて設けられた１のスリットによって構成されている。
【０１１４】
裏側連通孔２５５において表側連通孔１５５Ａ〜１５５Ｄとは反対側の端部には、内方へ凸とつなる開口縁部２５６が形成されている。開口縁部２５６は、両構成体１００，２００の組み合わせが完了している状態では、各係合孔３２１Ａ〜３２１Ｄの延長領域（すなわち裏側連通孔２５５においてバンド３１０が通過し得る領域）から外れた位置に存在している。
【０１１５】
本実施の形態においては、既に説明したように、両構成体１００，２００を分離する場合には、先ず構成体１００，２００の一方をスライドさせて回動許容状態へ切り替える必要がある。このスライド移動にて開口縁部２５６が変位し得る経路が上記延長領域のうち第１係合孔３２１Ａ及び第２係合孔３２１Ｂに対応するものと交差している。なお、図１８においては、両構成体１００，２００の相対位置が変化してそれら構成体１００，２００を分離可能となる位置すなわち回動が許容される場合のを２点鎖線によって示している。
【０１１６】
このため、第１バンド３１０Ａ及び第２バンド３１０Ｂの少なくとも何れかが、上記延長領域に存在している場合には、当該バンド３１０Ａ，３１０Ｂに対して開口縁部２５６が干渉し、それ以上のスライド操作が妨げられることとなる。
【０１１７】
特に、係合孔３２１、連通孔１５５，２５５によって構成されるバンド３１０用の通路の幅寸法（詳しくはバンド３１０の厚さ方向における通路壁面間の距離寸法）については、バンド３１０の厚さ寸法とほぼ同等に設定されている。このため、当該通路に挿通されている状態では、バンド３１０が当該バンド３１０の厚さ方向に撓みにくくなっている。
【０１１８】
つまり、バンド３１０Ａ，３１０Ｂが開口縁部２５６によって押された場合に、同バンド３１０Ａ，３１０Ｂが撓み変形して開口縁部２５６が上記延長領域を素通りするといった不都合を生じにくくしている。
【０１１９】
＜音声ランプ制御装置６６の組立作業及びハーネスＨの装着作業＞
ここで、図１９〜図２１を参照して、音声ランプ制御装置６６の組立作業及びハーネスＨの装着作業の流れについて説明する。図１９〜図２０は作業の流れを示す概略図であり、図１９（ａ）→図１９（ｂ）→図２０（ｃ）→図２０（ｄ）→図２１（ｅ）→図２１（ｆ）の順に作業を行うことで、音声ランプ制御装置６６からのハーネスＨの取り外しが規制された状態となる。なお、図２１においては、２点鎖線によって取付台及び遊技盤３３を概略的に示している。
【０１２０】
音声ランプ制御装置６６の組立作業においては先ず、図１９（ａ）に示すように、表側構成体１００に対して音声ランプ制御基板６７を固定する。表側構成体１００と音声ランプ制御基板６７とを一体化させた後は、表側構成体１００に対して拘束部材３００を装着する。
【０１２１】
具体的には、図１９（ａ）の１点鎖線に示すように、バンド３１０Ａ〜３１０Ｄの先端部を１対１で対応する挿通部１６１にそれぞれ通した後に、バンド３１０Ｂ〜３１０Ｄを挿入孔１０９を通じて基板ボックス６８内に挿入する。この際、各バンド３１０Ｂ〜３１０Ｄを最も奥側へ挿入することにより、拘束部材３００の取付部３３１が表側ベース部１５０の覆い部１５３との干渉が回避された位置に配されることとなる（図１９（ｂ）参照）。
【０１２２】
その後は、拘束部材３００の本体部３２０を収容部１５１の底部１５２側へ押し込んで、取付部３３１の折曲部３３３を開口部１５４内に挿入させるとともに、本体部３２０（板状部３３２を含む）を底部１５２に対して当接させる。かかる状態となった後は、拘束部材３００を基板ボックス６８の本体部６８ａから遠ざかる側、すなわちバンド３１０Ａ〜３１０Ｄの挿入量が減少する側へ拘束部材３００を変位させる。
【０１２３】
図２０（ｃ）に示すように、拘束部材３００の折曲部３３３が収容部１５１における本体部６８ａとは反対側の壁部に対して当接する位置に到達することにより、表側構成体１００に対する拘束部材３００の取り付けが完了する。
【０１２４】
表側構成体１００に対する拘束部材３００の取り付けが完了した後は、図２０（ｃ）→図２０（ｄ）に示すように、両構成体１００，２００を相互に組み付ける。具体的には、図１２〜図１４を用いて説明したように、表側構成体１００の突出部１３１を裏側構成体２００の挿入部２３１に挿入させて同表側構成体１００を裏側構成体２００に対して近づく側へ回動させ、その後、表側構成体１００を裏側構成体２００に対してスライドさせることにより、両構成体１００，２００の組み付けが完了する。
【０１２５】
両構成体１００，２００の組み付けが完了した状態では、図２０（ｄ）に示すように、裏側構成体２００のストッパ部２５２が拘束部材３００の取外方向における先側から折曲部３３３に対して当接する。これにより、拘束部材の離脱が規制されることとなる。その後、図９等に示した破断ネジ６９を用いて両構成体１００，２００を結合することにより、音声ランプ制御基板６７が基板ボックス６８内に封入され、音声ランプ制御装置６６の組立作業が完了する。
【０１２６】
音声ランプ制御装置６６の組立作業が完了した後は、図２１（ｅ）に示すように、台座を介して遊技盤３３に音声ランプ制御装置６６を搭載する。音声ランプ制御装置６６を搭載した後は、音声ランプ制御装置６６のコネクタ９２にハーネスＨのコネクタＣ１を結合させるとともに主制御装置６２のコネクタに同ハーネスＨのコネクタＣ２を結合させる。これにより、ハーネスＨを介して音声ランプ制御装置６６と主制御装置６２とが電気的に接続された状態となる。
【０１２７】
ハーネスＨの接続作業を終えた後は、図２１（ｅ）に示すように、ハーネスＨの一部が拘束部材３００の本体部３２０と挿通部１６１との両者に当接するようにして当該ハーネスＨを配置する。そして、基板ボックス６８内に収容されていない第１バンド３１０Ａを用いてハーネスＨを拘束する。
【０１２８】
具体的には、第１バンド３１０ＡをハーネスＨを囲むようにして撓ませるとともに、同第１バンド３１０Ａの先端部を本体部３２０の第１係合孔３２１Ａに挿入する。ここで、両構成体１００，２００の相互の組み付けが完了している状態では、第１係合孔３２１Ａと第１表側連通孔１５５Ａと裏側連通孔２５５とが連通している。このため、第１係合孔３２１Ａを通過した第１バンド３１０Ａは、第１表側連通孔１５５Ａ→裏側連通孔２５５を通じて音声ランプ制御装置６６の裏側へ突出する。
【０１２９】
その後も第１バンド３１０Ａの挿入操作を継続することで、第１バンド３１０Ａの歯部３１１が第１係合孔３２１Ａの突起３２４に対して引っ掛かる。つまり、第１バンド３１０Ａの先端部が裏側連通孔２５５から突出した後に、第１バンド３１０Ａの歯部３１１と第１係合孔３２１Ａの突起３２４とが係合する。このようにして、第１バンド３１０Ａと第１係合孔３２１Ａとが係合することで、音声ランプ制御装置６６からのハーネスＨの取り外しが規制される。
【０１３０】
第１バンド３１０Ａが更に押し込まれると、同第１バンド３１０ＡとハーネスＨとが当接し、同ハーネスＨによってそれ以上の押し込みが不可となる。この場合、バンド３１０に形成された脆弱部３１２のうち最も先端寄りとなる１つは、係合孔３２１内において挿入口３２２と突起３２４との間に位置することとなる（図２１（ｆ）参照）。つまり、ハーネスＨの変位を不可とすることで、脆弱部３１２の少なくとも１つが係合孔３２１内に収容された状態となる。
【０１３１】
＜ハーネスＨの取外作業＞
次に、図２２を参照して、音声ランプ制御装置６６からハーネスＨを取り外す場合の作業の流れについて説明する。図２２は作業の流れを示す概略図であり、図２２（ａ）→図２２（ｂ）の順に作業を行うことで、音声ランプ制御装置６６からのハーネスＨの取り外すことができる。なお、図２２においては、２点鎖線によって取付台及び遊技盤３３を概略的に示している。
【０１３２】
図２２（ａ）に示すように、音声ランプ制御装置６６に対してハーネスＨが装着されている状態では、第１バンド３１０ＡによってハーネスＨが囲まれているものの、当該第１バンド３１０Ａが挿通部１６１を経由していることで、ハーネスＨと第１バンド３１０Ａとの間に隙間が形成されている。図２２（ｂ）に示すように、この隙間が生じている部分にてハーネスＨをニッパやカッタ等の工具を用いて切断することにより、第１バンド３１０Ａ（拘束部材３００）によるハーネスＨの拘束（音声ランプ制御装置６６からの取り外し規制）が解除される。これにより、音声ランプ制御装置６６からのハーネスＨの取り外しが可能となるとともに、拘束部材３００に拘束解除の痕跡（ハーネスＨの取外規制解除の痕跡）が形成される。
【０１３３】
拘束部材３００については、基板ボックス６８からの取り外しが規制されたままとなる。このため、上記痕跡が音声ランプ制御装置６６に残存することととなり、ハーネスＨが取り外された事実を事後的に確認することができる。
【０１３４】
以上詳述した、ハーネスＨの取り外しについては、音声ランプ制御装置６６が遊技盤３３に搭載されたまま実行される。音声ランプ制御装置６６が遊技盤３３に搭載されている状況下においては、分離片３１０ａを引き抜く際の当該分離片３１０ａの移動経路上に遊技盤３３が位置しており、分離片３１０ａの引き抜きが当該遊技盤３３によって規制された状態となっている。言い換えれば、第１バンド３１０Ａが切断された後も少なくとも音声ランプ制御装置６６を遊技盤３３から取り外すまでは、上記分離片３１０ａによる両構成体１００，２００の分離規制が継続されることとなる。
【０１３５】
上述した過程を経てハーネスＨを取り外した後に、同ハーネスＨを再び取り付ける場合には、拘束部材３００の第２バンド３１０Ｂ及び第２係合孔３２１Ｂを使用する。これら第２バンド３１０Ｂ及び第２係合孔３２１Ｂを用いた再取付けの手順については、図２１（ｅ）→図２１（ｆ）を用いて説明した手順と同様であるため、説明を省略する。
【０１３６】
第２バンド３１０ＢによってハーネスＨが拘束された場合には、第１バンド３１０Ａと同様に、当該第２バンド３１０Ｂによって両構成体１００，２００の分離が規制されることとなる。
【０１３７】
本実施の形態においてはバンド３１０が４つ設けられており、１の拘束部材３００によるハーネスＨの拘束が４度まで許容されている。遊技機のメンテナンス作業や確認作業が行われる場合には、例えば音声ランプ制御装置をパチンコ機１０から取り外すことで、作業の容易化を図ることができるため、上述の如く、複数回の拘束を許容することで、拘束部材３００の交換を抑制している。かかる構成においても、ハーネスＨが取り外される度にその痕跡が残存することとなるため、同ハーネスＨの取り外し回数を事後的に把握することができる。
【０１３８】
但し、かかる構成を採用したとしてもバンド３１０の数には限りがあるため、全てのバンド３１０が破壊された後は、拘束部材３００を未使用のものに交換することで、再度ハーネスＨの取り外し規制を実行可能となる。
【０１３９】
＜拘束部材３００の取外作業及び音声ランプ制御装置６６の開封作業＞
次に、図２２〜図２４を参照して、拘束部材３００の取外作業及び音声ランプ制御装置６６の開封作業について説明する。図２３及び図２４は作業の流れを示す概略図であり、図２２（ａ）→図２２（ｂ）→図２３（ｃ）→図２３（ｄ）→図２４（ｅ）→図２４（ｆ）の順に作業を行うことで、音声ランプ制御装置６６が開封されるとともに拘束部材３００が取り外される。
【０１４０】
拘束部材３００の取外作業においては先ず、音声ランプ制御装置６６からハーネスＨの取外規制を解除して、当該音声ランプ制御装置６６を遊技機から取り外す。ハーネスＨの取り外し作業については、図２２（ａ）及び図２２（ｂ）を用いて説明した通りなので、説明を省略する。
【０１４１】
バンド３１０を切断して音声ランプ制御装置６６からハーネスＨを取り外した後は、図２２（ｂ）→図２３（ｃ）に示すように、音声ランプ制御装置６６を遊技機から取り外す。その後、切断されたバンド３１０の先端部分（分離片３１０ａ）を指等で摘んで裏側連通孔２５５から引き抜いて、同先端部分を基板ボックス６８から分離する。
【０１４２】
なお、音声ランプ制御装置６６が遊技盤３３に搭載されている状況下においては、分離片３１０ａを引き抜く際の当該分離片３１０ａの移動経路上に遊技盤３３が位置している。このため、分離片３１０ａの引き抜きが規制された状態となっている。そこで、上述したように先ず音声ランプ制御装置６６を遊技機から取り外すことにより、遊技盤３３による引抜規制が解除される。
【０１４３】
分離片３１０ａにおいて裏側連通孔２５５から突出している部分を、指で挟んで音声ランプ制御装置６６の裏側へ引き抜くことにより、分離片３１０ａの除去が完了する（図２３（ｃ）参照）。これにより、分離片３１０ａによる両構成体１００，２００の分離規制が解除されることとなる。具体的には、表側構成体１００と裏側構成体２００との相対変位（スライド操作）が許容されることとなる。
【０１４４】
その後、図２３（ｄ）に示すように、両構成体１００，２００を分離することにより、それまで拘束部材３００の取り外し方向への変位を妨げていた裏側構成体２００のストッパ部２５２が阻止位置から外れる。これにより、拘束部材３００の変位が許容される。なお、両構成体１００，２００が分離されることで、基板ボックス６８からの音声ランプ制御基板６７の取り外しが可能となる。
【０１４５】
次に図２４（ｅ）に示すように、拘束部材３００を取り外し方向へとスライドさせる。バンド３１０の基端部よりも挿通部１６１のほうが収容部１５１の底部１５２からの高さが大きく設定されているため、上記スライド操作により本体部３２０が挿通部１６１に近づくことで、拘束部材３００が底部１５２から浮き上がる側への付勢力が大きくなる。そして板状部３３２が覆い部１５３との重なりが回避される位置に到達することで本体部３２０が底部１５２から浮き上がることとなる。これにより、収容部１５１からの拘束部材３００の引き出し操作が容易化される。
【０１４６】
その後、図２４（ｆ）に示すように、バンド３１０が挿通部１６１から外れるようにして拘束部材３００を引っ張ることにより、同拘束部材３００の音声ランプ制御装置６６からの分離が完了する。
【０１４７】
例えば、拘束部材３００を取り外した後、未使用の拘束部材３００に交換した場合には、それまでのハーネスＨの取り外しの痕跡が排除されるものの、拘束部材３００の取り外しが行われた可能性があることが、基板ボックス６８の両固定部１１８，１１９に形成された破壊痕跡（基板ボックス６８の開封痕跡）によって明示されることとなる。これにより、何らの痕跡を残すことなく拘束部材３００の交換がなされることを抑制することができる。
【０１４８】
＜パチンコ機１０の電気的構成＞
次に、第１の実施の形態におけるパチンコ機１０の電気的構成について、図２５のブロック図に基づき説明する。図２５では、電力の供給ラインを二重線矢印で示し、信号ラインを実線矢印で示す。
【０１４９】
主制御装置６２に設けられた主制御基板６３には、主制御回路７０２と停電監視回路７０３とが内蔵されている。主制御回路７０２にはＭＰＵ７１１が搭載されている。ＭＰＵ７１１には、当該ＭＰＵ７１１により実行される各種の制御プログラムや固定値データを記憶したＲＯＭ７１２と、そのＲＯＭ７１２内に記憶される制御プログラムの実行に際して各種のデータ等を一時的に記憶するためのメモリであるＲＡＭ７１３と、割込回路やタイマ回路、データ入出力回路などの各種回路が内蔵されている。
【０１５０】
ＲＡＭ７１３は、パチンコ機１０の電源の遮断後においても電源・発射制御装置８３に設けられた電源・発射制御基板７２１からデータ記憶保持用電力が供給されてデータが保持される構成となっている。
【０１５１】
ＭＰＵ７１１には、アドレスバス及びデータバスで構成されるバスラインを介して入出力ポートが接続されている。主制御回路７０２の入力側には、主制御基板６３に設けられた停電監視回路７０３、払出制御装置８２に設けられた払出制御基板７２２及びその他図示しないスイッチ群などが接続されている。特に主制御装置６２とは別体で設けられた払出制御装置８２等についてはハーネス等の接続手段を用いて接続されている。停電監視回路７０３には電源・発射制御基板７２１が接続されており、主制御回路７０２には停電監視回路７０３を介して電力が供給される。
【０１５２】
一方、主制御回路７０２の出力側には、停電監視回路７０３、払出制御基板７２２、音声ランプ制御基板６７等がハーネスを用いて接続されている。払出制御基板７２２には賞球コマンドなどといった各種コマンドが出力され、音声ランプ制御基板６７には表示コマンドなどといった各種コマンドが出力される。
【０１５３】
停電監視回路７０３は、主制御回路７０２と電源・発射制御基板７２１とを中継し、また電源・発射制御基板７２１から出力される最大電源である直流安定２４ボルトの電源を監視する。
【０１５４】
払出制御基板７２２は、払出装置７８により賞球や貸し球の払出制御を行うものである。演算装置であるＭＰＵ７３１は、そのＭＰＵ７３１により実行される制御プログラムや固定値データ等を記憶したＲＯＭ７３２と、ワークメモリ等として使用されるＲＡＭ７３３とを備えている。
【０１５５】
払出制御基板７２２のＲＡＭ７３３は、主制御回路７０２のＲＡＭ７１３と同様に、パチンコ機１０の電源の遮断後においても電源・発射制御基板７２１からデータ記憶保持用電力が供給されてデータが保持される構成となっている。
【０１５６】
払出制御基板７２２のＭＰＵ７３１には、アドレスバス及びデータバスで構成されるバスラインを介して入出力ポートが接続されている。払出制御基板７２２の入力側には、主制御回路７０２、電源・発射制御基板７２１及び裏パック基板７９が接続されている。また、払出制御基板７２２の出力側には、主制御回路７０２及び裏パック基板７９が接続されている。
【０１５７】
電源・発射制御基板７２１は、電源部７３６と発射制御部７３７とを備えている。電源部７３６は、二重線矢印で示す経路を通じて、主制御回路７０２や払出制御基板７２２等に対して各々に必要な動作電力を供給する。発射制御部７３７は、遊技者によるハンドル装置５９の操作にしたがって遊技球発射機構５０の発射制御を担うものであり、遊技球発射機構５０は所定の発射条件が整っている場合に駆動される。
【０１５８】
音声ランプ制御基板６７は、各種ランプ部、スピーカ部、表示制御装置７５５を制御するものである。演算装置であるＭＰＵ９１は、そのＭＰＵ９１により実行される制御プログラムや固定値データ等を記憶した上記ＲＯＭ７４２と、ワークメモリ等として使用される上記ＲＡＭ７４３とを備えている。
【０１５９】
音声ランプ制御基板６７のＭＰＵ９１にはアドレスバス及びデータバスで構成されるバスラインを介して入出力ポートが接続されている。音声ランプ制御基板６７の入力側には中継端子板７２３に中継されて主制御回路７０２が接続されており、主制御回路７０２から出力される各種コマンドに基づいて、各種ランプ部、スピーカ部、表示制御装置７５５を制御する。表示制御装置７５５は、音声ランプ制御基板６７から入力する表示コマンドに基づいて図柄表示装置４１を制御する。
【０１６０】
以上詳述した実施の形態によれば、以下の優れた効果を奏する。
【０１６１】
音声ランプ制御装置６６と主制御装置６２とを繋ぐハーネスＨの取り外しを拘束部材３００を用いて規制することにより、当該ハーネスＨを不正なものに交換するといった行為を難しくすることができる。このようにハーネスＨを足掛かりとした主制御装置６２に対する不正なアクセスを妨げることにより、例えば不正なハーネスを介して主制御装置６２の出力ポート等に過度の電圧を印加する等して主制御装置６２を誤作動させるといった行為を難しくすることができる。これにより、遊技機における防犯機能の向上に貢献することができる。
【０１６２】
拘束部材３００を用いてハーネスＨの取り外しを規制する場合には、当該拘束部材３００ごとハーネスＨが取り外されることを回避することが望ましい。しかしながら、拘束部材３００の取り外しを規制しようとすれば、その構成が大掛かりなものとなったり同拘束部材３００の装着作業が難しくなったりすると想定される。この点、本実施の形態においては、相互に組み合せられた表側構成体１００及び裏側構成体２００によってハーネスＨの取り外しを規制することにより、ハーネスの取り外しを規制するための構成を簡素なものとしつつ作業を簡略化を図っている。故に、防犯機能を向上させつつ、それに起因した作業性の低下等を好適に抑制することができる。
【０１６３】
より詳しくは、所定の設置位置へ拘束部材３００を配置することにより当該拘束部材３００の取り外しが規制された状態となる構成を採用しようとすれば、拘束部材３００の取付手段として規制状態と解除状態とに弾性変形可能なフック等が採用されやすいと想定される。しかしながら、このようなフック（弾性変形）等を利用して規制状態へ移行させようとすれば、拘束部材３００を装着する際の作業性の向上と拘束部材３００の取り外し規制にかかる強度の向上とを両立させることが難しくなる。また、このような強度不足をネジ等の他の固定手段を採用することで補おうとすれば、拘束部材３００の固定にかかる構成が複雑になったり同拘束部材３００の固定作業が煩雑になったりすると想定される。
【０１６４】
この点、両構成体１００，２００を組み合わせる前に拘束部材３００を設置し、その後両構成体１００，２００を組み合せることで、拘束部材３００の取り外しが規制される構成とすれば、上述したような弾性変形に頼ることなく規制状態への移行が可能となるため、作業性の向上と拘束部材３００の強度の向上とを好適に両立させることができる。特に、取外規制にかかる強度の向上を図ることで、拘束部材３００を無理やり引っ張る等して規制状態を不正に解除するといった行為を難しくすることが可能となる。故に、更なる防犯機能の向上に貢献することができる。
【０１６５】
上述したように、両構成体１００，２００の組み合せに先行して拘束部材３００を設置する構成においては、両構成体１００，２００を組み合わせる際に構成体１００，２００と拘束部材３００とが干渉して組み合わせ作業が妨げられるといった不都合が生じ得る。このような不都合を回避しようとして、例えば拘束部材３００を手で持ったまま両構成体１００，２００の組み合わせ作業を行おうとすれば、当該組み合わせ作業が煩雑になると懸念される。そこで、本実施の形態においては、拘束部材３００を所定の設置位置に保持する構成とすることで、構成体１００，２００の組み合わせが完了する前に拘束部材３００を取り付ける構成を採用したとしても、それに起因した上記不都合の発生を抑えることが可能となっている。
【０１６６】
拘束部材３００の取外規制手段を構成するストッパ部２５２及び折曲部３３３については、両構成体１００，２００を組み合せることで、それら両構成体１００，２００によって覆われることとなる。このため、外部からストッパ部２５２等にアクセスして拘束部材３００の取外規制を不正に解除するといった行為を難しくすることができる。
【０１６７】
フック部２２１及び受け部１２１によって規定された両構成体１００，２００のスライド方向（分離側への相対変位方向）と、収容部１５１によって規定された拘束部材３００（詳しくは本体部３２０）のスライド方向（取り外し側への変位方向）とが直交する構成としている。これにより、仮に両構成体１００，２００を分離側へ押し引きしたとしても、それに起因した拘束部材３００の取外規制機能の低下を好適に回避することができる。また、拘束部材３００を取り外し方向へ押し引きしたとしても、それによって両構成体１００，２００の相対位置が変化し音声ランプ制御基板６７の封印機能が低下することを回避することができる。
【０１６８】
拘束部材３００のバンド３１０を係合孔３２１に挿入し、所定の係合位置（ハーネスＨを拘束する位置）へ押し込むことにより、同バンド３１０が表側連通孔１５５に挿通される。表側連通孔１５５の内形はバンド３１０の外形に合わせて形成されており、表側連通孔１５５の長手方向と交差する方向へのバンド３１０の変位が規制される。当該表側連通孔１５５の長手方向は収容部１５１における拘束部材３００のスライド方向と直交しており、同バンド３１０と表側連通孔１５５とが当接することで、拘束部材３００の取り外し方向への変位が規制されることとなる。このように、ハーネスＨを拘束することで、拘束部材３００の取り外しが一層好適に規制されることで、当該拘束部材３００ごとハーネスＨを取り外すといった行為を難しくすることができる。
【０１６９】
このように、拘束部材３００の取外規制を強化したとしても、以下の不都合が発生する可能性を払拭することは困難である。すなわち、拘束部材３００を細かく破壊する等して基板ボックス６８から取り外すとともに別途用意した拘束部材３００を再設置することにより、不正なハーネスへの入替の痕跡が隠蔽され得る。
【０１７０】
ここで、本実施の形態においては、両構成体１００，２００を組み合わせた状態では、拘束部材３００の上記設置位置（装着完了位置）への配置が不可となる。更には、設置位置から外れた位置に配置されている状態では、係合孔３２１排出口３２３の先に底部１５２が位置することとなり、バンド３１０を係合位置へ到達させることができない構成となっている。これにより、上述したように痕跡を残存させることなくハーネスＨを不正なものと入れ替えるといった行為を困難なものとすることができる。
【０１７１】
ハーネスＨを拘束した状態ではバンド３１０が表側連通孔１５５及び裏側連通孔２５５に跨るようにして配置され、当該バンド３１０によって両構成体１００，２００の分離（基板ボックス６８の開放）が規制されることとなる。これにより、構成の複雑化を抑えつつ音声ランプ制御基板６７に対する不正行為を抑制することが可能となる。
【０１７２】
ハーネスＨを拘束する機能が付与されたバンド３１０については、ある程度の強度確保が必要となる。このように強度が確保される構成を用いて両構成体１００，２００の分離規制を行うことで、分離規制機能を好適に発揮させることができる。
【０１７３】
バンド３１０を用いて両構成体１００，２００の分離を規制する構成においては、当該バンド３１０によって両構成体１００，２００を括ることも可能である。しかしながら、このような作業を必須とすれば、防犯機能の向上を達成できる反面、作業が煩雑化すると懸念される。
【０１７４】
この点、上記実施の形態においては、本体部３２０の係合孔３２１に対してバンド３１０を挿入し、同バンド３１０を係合位置まで押し込むことで、両構成体１００，２００の分離が規制される。このように、バンド３１０によって両構成体１００，２００を括るのではなく孔に通すだけで分離を規制することができるため、バンド３１０を利用した分離規制作業を簡易化できる。
【０１７５】
連通孔１５５，２５５は、係合孔３２１に対してバンド３１０の挿入方向における先側に配されている。これにより、バンド３１０においてハーネスの拘束機能が付与されている部分と構成体１００，２００の分離規制機能が付与されている部分とを区別することが可能となっている。かかる構成によれば、バンド３１０に上記分離規制機能を付与することに起因して拘束機能が低下するといった不都合を生じにくくすることができる。
【０１７６】
バンド３１０による分岐規制を解除する場合には、バンド３１０を破壊（切断）する必要が生じる。つまり、バンド３１０による分離規制を解除して基板ボックス６８を開封した場合には、その開封痕跡が拘束部材３００に残存することとなる。この際バンド３１０の分離片３１０ａを裏側連通孔２５５を通じて引き抜く必要がある。本実施の形態においては、ハーネスＨを拘束した場合に、当該バンド３１０の先端が裏側連通孔２５５の開放部分から突出する構成となっている。このように、バンド部の一部を通路部から突出させておくことで、上記分離片３１０ａの引き抜き操作の容易化を図っている。
【０１７７】
以上詳述した、バンド３１０による両構成体１００，２００の分離規制機能は、初回に限って有効となるのではなく、基板ボックス６８を開封した後に２つ目のバンド３１０Ｂを利用することで同様の機能を享受できる構成となっている。本実施の形態においては、痕跡手段としての破断ネジ６９による両構成体１００，２００の固定は初回に限って有効であり、同破断ネジ６９は一度開封された基板ボックス６８を再度封印する手段として機能しない。ここで、第２バンド３１０ＢによりハーネスＨを拘束することにより、当該バンド３１０Ｂによる両構成体１００，２００の分離規制が可能となることで、第２バンド３１０Ｂを基板ボックス６８用の封印手段又は痕跡手段として活用することができる。
【０１７８】
音声ランプ制御基板６７の検査等を行う場合には、音声ランプ制御装置６６を遊技機から取り外すことで、作業を容易に進めることができる。この際、ハーネスＨの拘束を解除すれば、バンド３１０による両構成体１００，２００の分離規制が解除される又は分離規制の解除が許容されることとなるため、検査等にかかる一連の作業（ハーネスＨ除去→音声ランプ制御装置６６の取り外し→基板ボックス６８の開封→音声ランプ制御基板６７の取り出し）の円滑化に貢献することができる。
【０１７９】
バンド３１０には、当該バンド３１０における他の部位よりも破壊が容易な脆弱部３１２が形成されており、同脆弱部３１２は、バンド３１０によってハーネスＨを拘束している状態では、バンド３１０及び係合孔３２１の係合箇所よりもハーネスＨ寄りに位置するようにして構成されている。かかる構成によれば、バンド３１０においてハーネスＨを拘束している部分を引っ張る等して無理矢理に拘束状態（分離規制状態）を解除させようとした場合であっても、脆弱部３１２が破壊されることとなる。これにより、痕跡を残存させることなくハーネスＨを取り外したり両構成体１００，２００を分離したりする行為を困難なものとすることができる。
【０１８０】
脆弱部３１２は、上記拘束状態となっている場合に、係合孔３２１内に位置するようにして構成されている。かかる構成を採用することにより、バンド３１０における上記係合箇所と脆弱部３１２との間となる部位を掴んで引っ張るといった行為を難しくし、当該脆弱部３１２による不正防止機能を好適に発揮させることができる。また、脆弱部３１２の所在を隠すことによる防犯機能の向上も期待できる。
【０１８１】
係合孔３２１，表側連通孔１５５，裏側連通孔２５５によって構成される通路ついては、バンド３１０において上記通路内に挿入されている部分の厚さ方向が両構成体１００，２００のスライド方向に対して直交する方向となるようにして形成されている。上述したようにバンド３１０を用いてハーネスＨを拘束する構成においては、バンド３１０の撓み変形を許容することが望ましい。しかしながら、このように撓み変形を許容した場合には、上記分離規制機能の強化が難しくなると想定される。この点、バンド３１０において通路内に挿入されている部分の厚さ方向が上記スライド方向に対して直交する方向となる構成とすれば、例えば厚さを薄くして上記撓み変形を容易としたとしても、分離規制機能を好適に発揮させることができる。
【０１８２】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１８３】
（１）上記実施の形態においては、「制御装置」としての音声ランプ制御装置６６にハーネスＨを拘束する構成を適用したが、主制御装置６２や払出制御装置８２等の他の制御装置に対して上記拘束する構成を適用することも可能である。
【０１８４】
また、拘束の対象となるハーネスについては必ずしも制御装置同士を接続するものである必要はない。例えば、主制御装置６２については、その入力側に多数のセンサ（例えば入球検知用のセンサ）がハーネスを介して接続されているが、このハーネスの主制御装置６２からの取り外しを規制する構成としてもよい。これにより、ハーネスを不正なものと入れ替えてセンサからの信号を改ざんするといった行為を難しくすることができる。また、払出制御装置８２については、その出力側に払出装置７８がハーネスを介して接続されているが、このハーネスを払出制御装置８２からの取り外しを規制する構成としてもよい。これにより、ハーネスを不正なものと入れ替えて払出装置７８に出力される信号を改ざんするといった行為を難しくすることができる。故に、信号の改ざんによる遊技球の不正取得を抑制できる。
【０１８５】
（２）上記実施の形態では、「ケース構成体」としての表側構成体１００及び裏側構成体２００のうち前者に「拘束手段」又は「規制手段」としての拘束部材３００を配設したが、後者に拘束部材３００を配設してもよい。つまり、「設置部」を両構成体１００，２００のうちどちらに設けるかは任意である。
【０１８６】
但し、ハーネスや拘束部材３００の確認作業や取付／取外作業の容易化を考慮すれば、表側構成体１００を配設対象とすることが好ましい。
【０１８７】
（３）上記実施の形態では、「第１ケース構成体」としての表側構成体１００と「第２ケース構成体」としての裏側構成体２００とによって拘束部材３００を挟み込むことにより、同拘束部材３００の基板ボックス６８からの取り外しを規制する構成としたが、少なくとも両構成体１００，２００が相互に結合されることにより拘束部材３００の取り外しが規制されるのであれば足りる。以下、図２６（ａ）の概略図を参照して、取外規制に関する構成の変形例について説明する。
【０１８８】
音声ランプ制御装置６６Ｘの基板ボックス６８Ｘによって区画された領域には、音声ランプ制御基板６７とともに拘束部材３００Ｘの一部（詳しくはその本体部３２０Ｘ）が収容されている。拘束部材３００Ｘは、本体部３２０が表側構成体１００Ｘの内部に形成された設置部１８０Ｘに設置されることにより表側対向部１０１Ｘに隣接するようにして存在している。
【０１８９】
表側対向部１０１Ｘには、基板ボックス６８Ｘの内外に貫通する貫通孔１８１Ｘが形成されており、当該貫通孔１８１Ｘを通じてバンド３１０Ｘが基板ボックス６８Ｘ外に突出している。また、表側対向部１０１Ｘには、本体部３２０Ｘの係合孔３２１Ｘに連通する連通孔１８２Ｘが形成されている。バンド３１０Ｘの先端部分が連通孔１８２Ｘ→係合孔３２１Ｘに挿通されることで、バンド３１０Ｘ及び係合孔３２１Ｘが係合している。これにより、ハーネスＨＸが拘束された状態となっている。
【０１９０】
本変形例においては、両構成体１００Ｘ，２００Ｘを相互に組み付けることにより、拘束部材３００Ｘの基板ボックス６８Ｘからの取り外しが規制されることとなる。特に、本体部３２０Ｘを基板ボックス６８Ｘ内に収容することで、音声ランプ制御装置６６Ｘの外部からの本体部３２０Ｘへのアクセスを困難なものとし防犯機能の向上を図っている。
【０１９１】
（４）上記実施の形態では、両構成体１００，２００を組み付ける場合のそれら構成体１００，２００の相対変位に基づいて基板ボックス６８からの拘束部材３００の取り外しが不可となる構成としたが、これに限定されない。両構成体１００，２００を結合してそれら構成体１００，２００の分離を規制することで、拘束部材の取り外しが不可となる構成としてもよい。例えば、両構成体１００，２００を結合する結合手段としてネジ等の固定具を取り付けることで、拘束部材の取り外しが不可となるようにしてもよい。
【０１９２】
（５）上記実施の形態では、拘束部材３００を用いてハーネスＨを拘束した場合に余剰となるバンド３１０の一部によって、両構成体１００，２００の分離が規制される構成としたが、これに限定されるものではない。例えば、拘束部材３００に付与された両構成体１００，２００の分離規制機能を省略することも可能である。
【０１９３】
特に、音声ランプ制御装置６６は封印手段を構成する破断ネジ６９によって開封不可となるように固定されており、１度目の開封時にはその開封痕跡が基板ボックス６８に残存する構成となっている。故に、複数のバンド３１０及び係合孔３２１の組み合せのうち少なくとも初期（製造時）に使用されるバンド３１０及び係合孔３２１については、バンド３１０による両構成体１００，２００の分離規制機能を省略することで、防犯機能を担保しつつ、基板ボックス６８の開放作業を容易化することができる。以下、当該変形例に示す思想を実現するための構成を、図２６（ｂ）を参照して説明する。図２６（ｂ）は、バンド３１０と裏側連通孔２５５との関係を示す概略図である。
【０１９４】
本変形例においては、「通路部」を構成する裏側連通孔２５５が上記実施の形態と相違している。具体的には、裏側連通孔２５５Ｙに形成された開口縁部２５６が一部省略され、上記挿入部２３１を中心とした回動が許容される位置へと両構成体１００，２００が相対変位した場合であっても、裏側連通孔２５５Ｙの壁面部と第１バンド３１０Ａとの干渉が回避される構成となっている。これにより、第１バンド３１０ＡによってハーネスＨを拘束している状態では、当該第１バンド３１０Ａによる両構成体１００，２００の分離規制が行われることはない。
【０１９５】
また、裏側連通孔２５５には、当該裏側連通孔２５５Ｙを、各表側連通孔１５５Ａ〜１５５Ｄに１対１で対応するようにして区画する区画壁部２５７Ｂ〜２５７Ｄが形成されている。第２バンド３１０Ｂ〜第４バンド３１０ＤのいずれかによってハーネスＨが拘束されている場合には、上記相対変位に基づく区画壁部２５７Ｂ〜２５７Ｄの移動経路上に、それら第２バンド３１０Ｂ〜第４バンド３１０Ｄが位置することとなる。これにより、２度目以降のハーネスＨの取り外しの際には、それら第２バンド３１０Ｂ〜第４バンド３１０Ｄによって両構成体１００，２００の分離が規制されることとなる。
【０１９６】
上記実施の形態に示すように、固定部１１８，２１８及び破断ネジ６９によって基板ボックス６８の開封痕跡を残存させる機能が初回にのみ対応している場合には、バンドによる分離規制を２回目以降に対して適用することで簡易的な痕跡手段（カシメ）としても利用できる。
【０１９７】
（６）上記変形例（５）に示したように、拘束部材３００を用いてハーネスＨを拘束した場合であっても、バンド３１０による両構成体１００，２００の分離規制がなされない構成を採用する場合には、併せて以下の変更を行うとよい。
【０１９８】
例えば、本体部３２０の係合孔３２１において突起３２４から排出口３２３までの距離を拡大することで、ハーネスＨが拘束されている場合にバンド３１０の先端が係合孔３２１内に収容された状態となる構成としてもよい。かかる変形例を採用する場合には、係合孔３２１を有底として排出口３２３を削除することにより、基板ボックス６８外からの係合箇所へのアクセスを抑制することができる。
【０１９９】
また、表側連通孔１５５の全長を拡大することにより、バンド３１０によってハーネスＨが拘束されている場合にバンド３１０の先端が表側連通孔１５５内に収容された状態となる構成としてもよい。更には、裏側連通孔２５５の全長を拡大することにより、バンド３１０によってハーネスＨが拘束されている場合にバンド３１０の先端が裏側連通孔２５５内に収容された状態となる構成としてもよい。このようにして各連通孔１５５，２５５からのバンド３１０の突出を回避する場合には、連通孔１５５，２５５を有底とすることで、出口部分を削除することも可能である。これら各変形例を採用すれば、係合孔３２１へのアクセスを抑制、拘束状態が不正に解除されるといった不都合を生じにくくすることができる。
【０２００】
更に、上記実施の形態においては、バンド３１０に脆弱部３１２を形成して当該バンド３１０の強度を部分的に弱くすることにより、バンド３１０を引っ張っることで無理矢理に係合を解除しようとしても、当該脆弱部３１２が係合解除よりも先に破壊される構成を採用した。これにより、バンド３１０に破壊痕跡を残存させることなくハーネスを取り外すといった行為を難しくしている。同実施の形態では、ハーネスＨの外形及びバンド３１０の長さ（詳しくは脆弱部３１２の位置）によって脆弱部３１２が係合孔３２１内に収容されるように設定したが、これではハーネスの径の変更への追従性がよくない。そこで、上記変形例に示したように係合孔３２１、連通孔１５５，２５５の何れかを有底として、ハーネスＨの先端部が底部に対して当接する位置まで押し込まれることでハーネスＨの拘束作業が完了する構成とすれば、ハーネスＨの径に関係なく脆弱部３１２の位置を一義的に定めることができ、より確実に同脆弱部３１２を係合孔３２１内に配置することができる。これにより、ハーネスＨの径の許容範囲を好適に拡げることができる。
【０２０１】
なお、脆弱部３１２については、必ずしも部分的にバンド３１０の厚さを薄くすることで形成する必要はない。少なくともバンド３１０と係合孔３２１との係合力よりも引っ張り力が大きくなる前に当該引張り力が脆弱部の破壊強度を上回るように構成されていればよく、例えばバンド３１０に当該バンド３１０の幅方向に延びるスリットを形成して、部分的に強度を下げることで脆弱部を構成してもよい。
【０２０２】
（７）バンド３１０の歯部３１１と係合孔３２１の突起３２４とが係合した後に、更にバンド３１０の押し込み操作がなされることでバンド３１０の上記余剰部分が裏側連通孔２５５に到達する構成としてもよい。また、上記余剰部分が裏側連通孔２５５に到達した後に、更にバンド３１０の押し込み操作がなされることで上記歯部３１１と突起３２４とが係合する構成とすることも可能である。
【０２０３】
（８）上記実施の形態では、拘束部材３００が、ハーネスＨを拘束する機能と、構成体１００，２００の分離を規制する機能との２つの機能を付与したが、これに限定されるものではない。拘束部材３００については、少なくともハーネスＨを拘束する機能を有していれば足りる。
【０２０４】
（９）上記実施の形態では、バンド３１０によってハーネスＨが拘束されている場合には、当該バンド３１０の先端（上記余剰部分）が裏側連通孔２５５から突出する構成としたが、これを変更し、ハーネスＨが拘束されている場合であっても同バンド３１０が裏側連通孔２５５から突出しない構成とすることも可能である。
【０２０５】
但し、バンド３１０には、両構成体１００，２００の分離を規制する機能が付与されており、バンド３１０を切断してハーネスＨを取り外した後は、バンド３１０の分離片３１０ａを裏側連通孔２５５から引き抜く必要がある。この引き抜き作業の容易化を考慮すれば、上述の如くバンド３１０の先端が裏側連通孔２５５から突出する構成とすることが好ましい。
【０２０６】
（９）上記実施の形態では、バンド３１０によってハーネスＨが拘束されている場合に、基板ボックス６８からの拘束部材３００の取り外しが不可となる構成とした。具体的には、表側連通孔１５５に対してバンド３１０が挿通されている場合には当該表側連通孔１５５の内壁面とバンド３１０とが当接することで、拘束部材３００の取外方向への変位が妨げられる構成とした。但し、「変位規制部」としてのストッパ部２５２を有する構成においては、バンド３１０に対して拘束部材３００の取り外しを規制する機能を付与する必要は必ずしもなく、かかる機能を省略してもよい。
【０２０７】
（１０）脆弱部３１２の数は任意である。但し、少なくとも１つの脆弱部３１２については、バンド３１０によってハーネスＨが拘束されている状態にて係合孔３２１内に収容される構成とすることが好ましい。特に、複数の脆弱部３１２を有する構成においては、最も先端寄りのものが挿通孔内（望ましくは突起と入口との間）に位置するように設定することが好ましい。
【０２０８】
（１１）上記実施の形態では、「構成体用案内手段」としてのフック部２２１及び受け部１２１によって案内されるスライド区間の全域にてバンド３１０の折曲部３３３と裏側構成体２００のストッパ部２５２とが当接する構成（拘束部材３００の取外方向への変位が不可となる構成）とした。これを変更し、両構成体１００，２００の組み合わせが完了することに併せて折曲部３３３とストッパ部２５２とが当接し、拘束部材３００の取外方向への変位が不可となる構成としてもよい。例えば、フック部２２１及び受け部１２１を省略し、両構成体１００，２００を挿入部２３１を中心として回動させることで、組み合わせが完了する構成においては、当該変形例を適用するとよい。
【０２０９】
（１２）上記実施の形態では、バンド３１０の先端部分が裏側連通孔２５５から突出する位置へ到達することで、バンド３１０（詳しくは歯部３１１）と係合孔３２１（詳しくは突起３２４）とが係合する構成としたが、バンド３１０の先端部分が裏側連通孔２５５から突出する位置へ到達する前にバンド３１０と係合孔３２１とが係合する構成とすることも可能である。例えば、バンド３１０の先端部分が裏側連通孔２５５に到達し、両構成体１００，２００の分離が規制される状態となった場合に、バンド３１０と係合孔３２１とが係合する構成とすることも可能である。
【０２１０】
（１３）上記実施の形態では、「設置部」としての収容部１５１を、基板ボックス６８において音声ランプ制御基板６７を収容する収容空間を区画形成している本体部６８ａではなく、当該本体部６８ａから突出する表側ベース部１５０に配設したが、本体部自身に収容部を設けてもよい。
【０２１１】
但し、バンド３１０を用いて両構成体１００，２００の分離を規制する場合には、バンド３１０を両構成体１００，２００に跨るようにして待機させる必要がある。上記変形例を採用した場合には音声ランプ制御基板６７が邪魔になってバンドの取り回しに対する制約が強くなる。また、音声ランプ制御基板６７を回避したとしても表側連通孔１５５に相当する構成と裏側連通孔２５５に相当する構成との間隔が拡がり、バンドの全長が過度に長くなる。これは分離規制機能を低下させたり、バンド３１０による拘束作業をやりにくくしたりする要因となり得る。故に、好ましくは上記実施の形態に示したように基板ボックス６８の本体部から突出する部分に収容部１５１を配設することで、両連通孔１５５、２５５を近づけるとよい。
【０２１２】
（１４）上記実施の形態では、「通路部」を構成する表側連通孔１５５及び裏側連通孔２５５を係合孔３２１に対してバンド３１０の挿入方向における先側に配する構成としたが、これを変更し、それら連通孔１５５，２５５を係合孔３２１に対して上記挿入方向における手前側に配する構成とすることも可能である。
【０２１３】
また、表側連通孔１５５を係合孔３２１に対して挿入方向における手前側、裏側連通孔２５５を係合孔３２１に対して挿入方向における先側に配することも可能である。更には、両構成体１００，２００のうち拘束部材３００の設置対象となっている側の通路部（表側連通孔１５５）を省略することも可能である。但し、かかる変更を行った場合、裏側連通孔２５５と係合孔３２１とによって両構成体１００，２００の分離が規制されることとなり、両構成体１００，２００が分離方向へ引っ張られた場合には、係合孔３２１に生じる負荷が大きくなると想定される。これは、係合孔３２１が本来有しているバンド３１０との係合機能を低下させる要因となり得るため好ましくない。故に、望ましくは、両連通孔１５５，２５５を連通させて、係合孔３２１に生じる負荷が大きくならないようにし、当該係合孔３２１の保護を図るとよい。
【０２１４】
（１５）上記実施の形態では、バンド３１０を破壊することで形成される分離片３１０ａを「通路部」としての連通孔１５５，２５５から引き抜く経路上に遊技盤３３が位置することで、音声ランプ制御装置６６を遊技盤３３に装着したままでは、同音声ランプ制御装置６６の開封が不可となる構成とした。これに限定されるものではなく、分離片３１０ａを引き抜く経路上から遊技盤３３等の障害物を排除し、音声ランプ制御装置６６を遊技盤３３に装着したまま同音声ランプ制御装置６６の開封を許容する構成とすることも可能である。
【０２１５】
（１６）上記実施の形態では、「設置部」としての収容部１５１に収容された拘束部材３００を装着完了位置へ配置する際のスライド方向と、「規定手段」としての受け部１２１及びフック部２２１によって規定された両構成体１００，２００のスライド方向とが直交する構成としたが、必ずしも直交させる必要はなく、拘束部材３００のスライド方向と両構成体１００，２００のスライド方向とが交差する構成とすれば足りる。
【０２１６】
（１７）上記実施の形態においては、「基板ケース」としての基板ボックス６８と「拘束手段」又は「規制手段」としての拘束部材３００とを別体とし、それら別のもの同士を結合させて一体化したが、基板ボックスと拘束部材とを１つのものとしてもよい（例えば一体成形してもよい）。
【０２１７】
また、拘束部材３００においては「バンド部」としてのバンド３１０と「係合孔」としての係合孔３２１を有する本体部３２０とを一体成形する必要は必ずしもなく、両者を別々に設けてもよい。かかる変形例を採用する場合には、係合孔３２１に相当する構成を基板ボックス６８に形成するとともに、バンド３１０に相当する構成を基板ボックス６８とは別体で形成することも可能である。更には、バンド３１０に相当する構成と本体部３２０（係合孔３２１）に相当する構成とを両構成体１００，２００のうち同一対象に配設する必要はなく、別々の対象に配設してもよい。
【０２１８】
（１８）上記実施の形態においては、バンド３１０と係合孔３２１とをそれぞれ４つずつ採用することにより、ハーネスＨを４度取り外し可能としたが、バンド３１０及び係合孔３２１の組み合わせの数（許容される拘束回数）については任意である。但し、基板ボックス６８を開封する際に、ハーネスＨの取り外しを必須とする構成においては、ハーネスの拘束許容回数を、基板ボックス６８の開封許容回数よりも多く設定することが好ましい。
【０２１９】
（１９）上記実施の形態においては、ハーネスＨを拘束した場合にバンド３１０における同ハーネスＨと対向する側の板面に歯部３１１を形成し、反対側の板面に脆弱部３１２を形成したが、これを逆にすることも可能である。すなわち、ハーネスＨと対向する側の板面に脆弱部３１２を形成し、反対側の板面に歯部３１１を形成することも可能である。
【０２２０】
（２０）上記実施の形態においては、「係合部」としての係合孔３２１の延びている方向と直交する方向（詳しくは両構成体１００，２００のスライド方向）に複数のバンド３１０を並べて設けたが、これに限定されるものではない。係合孔３２１の延びている方向と同じ方向に複数のバンド３１０を並べて設けるもとも可能である。かかる構成によれば、係合孔３２１を複数設ける必要はなく、１の係合孔３２１をそれら各バンド３１０の係合対象として利用することができる。
【０２２１】
特に、バンド３１０を破壊してハーネスＨを取り外した後、別のバンド３１０を用いてハーネスＨを再度拘束する場合には、係合孔３２１に残存する分離片３１０ａを別のバンド３１０を挿入することで、係合孔３２１から押し出すことができる。これにより、例えば音声ランプ制御装置６６を取り外して分離片３１０ａを引き抜くといった作業が不要となる。
【０２２２】
（２１）上記実施の形態では、「拘束手段」としてバンド３１０及び係合孔３２１を有する拘束部材３００を採用したが、これに代えて、「拘束手段」としてハーネスＨが挿通される略環状の挿通部材と当該挿通部材を基板ボックス６８に取り付ける破断ネジとを採用し、これら挿通部材及び破断ネジによって基板ボックス６８からのハーネスＨの取り外しを規制する構成としてもよい。
【０２２３】
このような変形例を採用した場合には、破断ネジによってハーネスＨの取り外しを規制した場合（挿通部材の取り付けを完了した場合）に、当該破断ネジが両構成体１００，２００に跨るようにして位置する構成とすることにより、同破断ネジによって両構成体１００，２００の分離を規制することができる。なお、当該変形例を採用する場合には、破断ネジによって固定される固定ベース部を両構成体１００，２００にそれぞれ設けるとともにそれら各固定ベース部と基板ボックス６８の本体部と繋ぐ連結部を設け、当該連結部が破壊されることで、基板ボックスからハーネスが取り外されるとともに当該破断ネジによる両構成体１００，２００の分離規制が解除される構成とすればよい。
【０２２４】
なお、上記実施の形態に示した拘束部材３００の取り外し規制にかかる構成を変更し、本変形例に示す破断ネジによって取り付けることで同拘束部材３００の基板ボックス６８からの取り外しを規制する構成とすることも可能である。
【０２２５】
（２２）上記実施の形態では、「基板ケース」としての基板ボックス６８が「ケース構成体」として表側構成体１００と裏側構成体２００とを有する構成とした。すなわち、２つの構成体１００，２００を組み合わせることにより基板ボックス６８を形成する構成とした。「ケース構成体」の数は２つに限定されるものではなく任意である。例えば、３個以上の構成体が組み合わされて基板ボックス６８が形成されていてもよい。
【０２２６】
（２３）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２２７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０２２８】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０２２９】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２３０】
特徴Ａ１．遊技に関する制御を行う制御基板（音声ランプ制御基板６７）と、内部空間が形成されており、その内部空間に前記制御基板を収容する基板ケース（基板ボックス６８）と、を有する制御装置（音声ランプ制御装置６６等）を備え、
前記基板ケースは、相互に組み付けられることにより前記内部空間の少なくとも一部を形成する第１ケース構成体（表側構成体１００）及び第２ケース構成体（裏側構成体２００）を有し、
前記制御装置と、当該制御装置とは別に設けられた遊技機器（例えば主制御装置６２）と、がハーネス（ハーネスＨ）によって電気的に接続される遊技機において、
前記第１ケース構成体及び前記第２ケース構成体を相互に組み付けることにより、前記制御装置からの前記ハーネスの取り外しが規制されることを特徴とする遊技機。
【０２３１】
特徴Ａ１によれば、両ケース構成体を相互に組み付けることで制御装置からのハーネスの取り外しが規制される。これにより、両ケース構成体を相互に組み付けた状態のままハーネスを不正なものに交換するといった行為を難しくし、遊技機における防犯機能の向上に貢献することができる。
【０２３２】
特徴Ａ２．前記ハーネスを拘束することにより同ハーネスの前記制御装置からの取り外しを規制する規制手段（拘束部材３００）を備え、
前記規制手段は、前記第１ケース構成体及び前記第２ケース構成体が相互に組み付けられている場合に、それらケース構成体によって挟まれることで前記基板ケースからの取り外しが規制されていることを特徴とする特徴Ａ１に記載の遊技機。
【０２３３】
特徴Ａ１等に示したように制御装置と遊技機器とをハーネスによって接続する構成においては、メンテナンス作業や動作確認作業等の際にハーネスが取り外される可能性がある。ハーネスの取り外し→拘束が繰り返されることは、ハーネスの取外規制機能を低下させたり消失させたりする要因となり得る。更には、ハーネスの取り外しに起因して制御装置全体の交換が必要になることは好ましくない。
【０２３４】
そこで、本特徴に示すように基板ケースからの規制手段の取り外しを許容し、例えば使えなくなった規制手段を未使用のものと交換可能とすれば、制御装置等をそのまま流用しつつ取外規制機能を担保でき、実用上好ましい構成を実現することができる。
【０２３５】
また、防犯機能の向上を考慮すれば、ハーネスの拘束解除に際して規制手段の破壊を要し、当該破壊に基づいてハーネスの取り外しの痕跡（拘束解除の痕跡）を残存させるとともに破壊された部分を用いたハーネスの再拘束を不可とする手段（痕跡手段）を規制手段に設けることが望ましい。例えば当該痕跡手段を複数設けることで、規制手段を基板ケースから取り外すことなく（両ケース構成体を分離することなく）、ハーネスの取り外し→取り付けを複数回実行可能となる。
【０２３６】
但し、かかる痕跡手段が採用されている場合であっても、ハーネスの拘束回数が上限を超えた場合には、規制手段の交換が必要となる。そこで、上述の如く規制手段を基板ケースから取外可能としておくことにより、実用上好ましい構成を実現することができる。
【０２３７】
しかしながら、上述の如く規制手段を基板ケースから取外可能とした場合には、上記効果が期待できる反面、規制手段が不正の足掛かりとして狙われやすくなる。つまり、ハーネスを規制手段ごと基板ケースから取り外すといった不正行為が行われやすくなると想定される。
【０２３８】
この点、本特徴によれば、両ケース構成体が相互に組み付けられている場合には規制手段がそれらケース構成体によって挟まれることで基板ケースからの取り外しが規制される。これにより、両ケース構成体を相互に組み付けたまま規制手段を取り外すことが困難になる。故に、例えばハーネスを規制手段ごと基板ボックスから取り外して同ハーネス等を不正なものに交換するといった行為を抑制することができる。
【０２３９】
なお、特徴Ａ１及び特徴Ａ２においては特に、基板ケースに、内部空間の開放に際して痕跡が残るように形成された又は当該内部空間の開放に際して痕跡を残す手段を設けるとよい。
【０２４０】
特徴Ａ３．前記基板ケースに設けられ、前記ハーネスを拘束することにより同ハーネスの前記制御装置からの取り外しを規制する規制手段（拘束部材３００）を備え、
前記両ケース構成体が相互に組み付けられる場合に、それら両者の相対位置の変位に基づいて前記基板ボックスからの前記規制手段の取り外しが規制された状態となることを特徴とする特徴Ａ１又は特徴Ａ２に記載の遊技機。
【０２４１】
特徴Ａ３によれば、両ケース構成体を相互に組み付ける作業によって基板ケースからの規制手段の取り外しが規制される。
【０２４２】
両ケース構成体を相互に組み付ける場合のそれらケース構成体の相対位置の変位に基づいて基板ボックスからの規制手段の取り外しが規制された状態となるため、規制手段の取り外しを規制するための別途操作が不要とすることができる。これにより、規制手段の取り外しを規制する構成を採用して防犯機能を向上したとしても、それに起因して遊技機の組み立て作業等が煩雑になるといった不都合を生じにくくすることができる。
【０２４３】
なお、「ハーネス」がケーブル部（ケーブルＣＡ）と当該ケーブル部の端部に設けられたコネクタ部（コネクタＣ１）とを有している構成を想定した場合、コネクタ部と「制御基板」等に設けられたコネクタとが結合している状態で「制御装置」からのハーネスの取り外しを規制する係止爪部を採用することでコネクタの脱落を抑制することができる。
【０２４４】
特徴Ａ１乃至特徴Ａ３に示す「規制手段」は、コネクタ部の結合を維持することで結果としてハーネスＨの取り外しを規制するものではなく（コネクタに付与された上記係止爪部等を示すものではなく）、ケーブル部を拘束等することでハーネスの取り外しを規制するものを示している。
【０２４５】
特徴Ａ４．前記第１ケース構成体に設けられ、前記規制手段が設置される設置部（取付ベース７０の表側ベース部１５０）を備え、
前記設置部は、前記両ケース構成体が相互に組み付けられることにより当該設置部からの前記規制手段の取り外しが規制される設置完了位置と、当該設置部からの前記規制手段の取り外しが許容される取外許容位置との両位置間における前記規制手段の変位を許容するものであり、
前記規制手段が前記設置完了位置から前記取外許容位置へ変位する場合に、同規制手段の変位方向が所定の案内方向となるようにして当該規制手段を案内する規制手段用案内部（収容部１５１の内壁面や覆い部１５３等）と、
前記第２ケース構成体に設けられ、前記両ケース構成体が相互に組み付けられている状態においては前記設置完了位置に配された前記規制手段に対して前記規制手段用案内部による前記案内方向の先側から当接することにより同規制手段の前記取外許容位置への変位を規制する変位規制部（ストッパ部２５２）と
を備え、
前記変位規制部は、前記規制手段が前記設置完了位置に設置された状態にて前記第１ケース構成体及び前記第２ケース構成体が相互に組み付けられることにより、前記第１ケース構成体及び前記規制手段の少なくとも一方と前記第２ケース構成体とによって覆われることを特徴とする特徴Ａ２又は特徴Ａ３に記載の遊技機。
【０２４６】
特徴Ａ４に示すように変位規制部を用いて規制手段の取り外しを規制する構成を採用すれば、特徴Ａ２等に示した技術的思想を容易に具現化できる。しかしながら、かかる構成においては、仮に変位規制部へのアクセスが容易となると、以下の不都合が生じやすくなると想定される。すなわち、変位規制部を変形等させて両ケース構成体を分離させることなく規制手段を取り外すといった不正行為が行われやすくなると懸念される。
【０２４７】
また、そのような不正行為に対処すべく、変位規制部の配設対象となっている第２ケース構成体単独で当該変位規制部の基板ケース外への露出を抑えようとした場合、変位規制部の機能を担保することが難しくなると想定される。
【０２４８】
そこで、本特徴に示すように相対変位の対象となっている第１ケース構成体（又は規制手段）及び第２ケース構成体の両者によって変位規制部を覆う構成とすれば、変位規制部の機能を担保しつつ基板ケース外への同変位規制部の露出を好適に抑えることができる。これにより、基板ケースの外部から変位規制部にアクセスして規制手段の取外規制を不正に解除するといった行為を難しくすることができる。
【０２４９】
特徴Ａ５．前記第１ケース構成体に設けられ、前記規制手段が設置される設置部（取付ベース７０の表側ベース部１５０）を備え、
前記設置部は、前記両ケース構成体が相互に組み付けられることにより当該設置部からの前記規制手段の取り外しが規制される設置完了位置と、当該設置部からの前記規制手段の取り外しが許容される取外許容位置との両位置間における前記規制手段の変位を許容するものであり、
前記規制手段が前記設置完了位置から前記取外許容位置へ変位する場合に、同規制手段の変位方向が第１案内方向となるようにして当該規制手段を案内する規制手段用案内部（収容部１５１の内壁面や覆い部１５３等）と、
前記第２ケース構成体に設けられ、前記両ケース構成体が組み合せられている状態においては前記設置完了位置に配された前記規制手段に対して前記規制手段用案内部による前記案内方向の先側から当接することにより同規制手段の前記取外許容位置への変位を規制する変位規制部（ストッパ部２５２）と、
前記第１ケース構成体及び前記第２ケース構成体が相対変位する場合に、それら両ケース構成体の変位方向が第２案内方向となるように案内するケース構成体用案内部（フック部２２１及び受け部１２１）と
を備え、
前記規制手段用案内部及び前記ケース構成体用案内部は、前記第１案内方向と前記第２案内方向とが互いに交差する方向となるように構成されていることを特徴とする特徴Ａ２乃至特徴Ａ４のいずれか１つに記載の遊技機。
【０２５０】
特徴Ａ５によれば、規制手段が第１案内方向に押される等した場合に両ケース構成体の相対位置が変化してケース構成体間に隙間が生じたり、両ケース構成体の一方が第２方向における分離側に引っ張られる等した場合に規制手段の取外規制機能が低下したりすることを好適に抑制できる。これにより、防犯機能を一層好適なものとすることができる。
【０２５１】
特徴Ａ６．前記規制手段は、取外規制手段であり、
前記規制手段用案内部は、前記取外規制手段が前記取外許容位置から前記設置完了位置へ変位する場合に、当該取外規制手段を案内するように構成されており、
前記設置完了位置に前記取外規制手段が配置されている場合には当該取外規制手段による前記ハーネスの拘束を許容するとともに、前記規制手段用案内部によって案内される範囲内であって前記設置完了位置以外の位置に前記取外規制手段が配置されている場合には同取外規制手段による前記ハーネスの拘束を規制する拘束規制手段（例えば底部１５２）を備えていることを特徴とする特徴Ａ４又は特徴Ａ５に記載の遊技機。
【０２５２】
特徴Ａ４等に示すように、設置部における取外規制手段の変位を許容している構成においては、作業ミス等によって同取外規制手段が設置完了位置に到達していない状態で両ケース構成体が相互に組み付けられる可能性がある。
【０２５３】
ここで、本特徴によれば、規制手段が設置完了位置に配置されている場合には当該規制手段によるハーネスの拘束が許容される一方、同規制手段が設置完了位置から外れた位置に配置されている場合にはハーネスの拘束が規制されることとなる。これにより、作業ミス等によってハーネスの取り外しが完全に規制されていないにも関わらずあたかも同ハーネスの取り外しが完全に規制されているかのようになることを回避することができる。故に、特徴Ａ１等に示した防犯機能を好適に発揮させることができる。
【０２５４】
特徴Ａ７．前記取外規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記係合孔部は、前記バンド部の挿入方向における先側に開放されており、
前記拘束規制手段は、
前記係合孔部に対して前記バンド部の挿入方向における先側に配され、当該係合孔部に対向する対向壁部（収容部１５１の底部１５２）と、
前記対向壁部に設けられ、前記バンド部を挿入可能な挿入部（表側連通孔１５５）と
を有し、
前記設置完了位置に前記取外規制手段が配置されている場合には、前記係合孔部と前記挿入部とが連通して同係合孔部から同挿入部へのバンド部の変位が許容されることで前記バンド部の前記係合孔部に対する係合位置への到達が許容され、
前記規制手段用案内部によって案内される範囲内であって前記設置完了位置以外の位置に前記取外規制手段が配置されている場合には、前記係合孔部の前記開放部分が前記対向壁部によって覆われることで前記バンド部の前記係合位置への到達が規制されることを特徴とする特徴Ａ６に記載の遊技機。
【０２５５】
特徴Ａ７によれば、取外規制手段が設置完了位置に配置されている場合には、バンド部を挿入部→係合孔部に挿入することで、係合位置へと到達させることができ、当該バンド部によってハーネスを拘束することができる。一方、取外規制手段が設置完了位置から外れている場合には、挿入部の開放部分が対向壁部によって覆われることとなる。そして、バンド部を係合孔部分に挿入した場合には、同バンド部の先端が対向壁部に当たることで、それ以上の挿入が妨げられることとなる。これにより、バンド部の係合位置への到達が規制され、同バンド部を用いたハーネスの拘束が規制される。
【０２５６】
取外規制手段が設置完了位置に配置されていない場合にバンド部を用いたハーネスの拘束を規制することにより、作業ミス等によってハーネスの取り外しが完全に規制されていないにも関わらずあたかも同ハーネスの取り外しが完全に規制されているかのようになることを回避することができる。
【０２５７】
特徴Ａ８．前記係合孔部には、前記バンド部に設けられた歯部（歯部３１１）に対して係合する突起（突起３２４）が形成されており、
前記取外規制手段は、前記歯部及び前記突起が係合することで前記拘束状態となるものであり、
前記歯部は、前記係合孔部に挿入された前記バンド部が前記対向壁部に対して当接した状態では前記突起との係合が回避されるように、当該バンド部において前記係合孔部に挿入される側の先端部位を除く部位に形成されていることを特徴とする特徴Ａ７に記載の遊技機。
【０２５８】
特徴Ａ８に示すように、バンド部において係合孔部に挿入される側の端部では歯部を不採用とすることで、バンド部を係合孔部に挿入する際の作業の容易化に後見することができる。
【０２５９】
また、このような歯部が形成されていない部位を利用して、バンド部が対向壁部に当たった場合に歯部と突起とを係合しないままとすることができる。これにより、作業ミス等によってハーネスの取り外しが完全に規制されていないにも関わらずあたかも同ハーネスの取り外しが完全に規制されているかのようになることを回避することができる。
【０２６０】
特徴Ａ９．記第１ケース構成体に設けられ、前記規制手段が設置される設置部（取付ベース７０の表側ベース部１５０）を備え、
前記設置部は、前記両ケース構成体が相互に組み付けられることにより当該設置部からの前記規制手段の取り外しが規制される設置完了位置と、当該設置部からの前記規制手段の取り外しが許容される取外許容位置との両位置間における前記規制手段の変位を許容するものであり、
前記取外許容位置から前記設置完了位置へ前記規制手段を変位させることにより同設置完了位置への前記規制手段の配置が許容され、
前記両ケース構成体が相互に組み付けられている状態にて、前記取外許容位置から前記設置完了位置への前記規制手段の変位を規制する変位規制部（ストッパ部２５２）を備えていることを特徴とする特徴Ａ２乃至特徴Ａ８のいずれか１つに記載の遊技機。
【０２６１】
特徴Ａ２等に示したように規制手段を介してハーネスと基板ケースとを一体化する構成においては、以下の不都合が生じ得る。すなわち、規制手段を細かく破壊する等して基板ケースから取り外すとともに、別途用意した規制手段によって不正なハーネスへの入替を行うことでその痕跡が隠蔽されると懸念される。
【０２６２】
そこで、本特徴に示すように、両ケース構成体が相互に組み付けられている状態では規制手段の設置完了位置への配置を妨げることにより、上述した隠蔽工作を困難なものとすることができる。これにより、防犯機能の更なる向上が期待できる。
【０２６３】
なお、特徴Ａ５との組み合せにおいては特に、当該特徴Ａ４等に示した「変位規制部」と本特徴に示す変位規制部とを同一のものとすることも可能である。
【０２６４】
特徴Ａ１０．前記規制手段は、当該規制手段によって前記基板ケースからの前記ハーネスの取り外しが規制された状態となっている場合に、前記両ケース構成体の分離側への相対変位を規制するものであることを特徴とする特徴Ａ２乃至特徴Ａ９のいずれか１つに記載の遊技機。
【０２６５】
特徴Ａ１０によれば、規制手段を用いて基板ケースからのハーネスの取り外しを規制することで、両ケース構成体の分離が妨げられることとなる。これにより、ケース構成体を分離して、ハーネスを規制手段ごと不正なものに交換するといった行為を難しくすることができる。
【０２６６】
なお、例えば規制手段によるハーネスの拘束を解除することで、両ケース構成体の分離規制が解除される又は解除可能となるように構成するとよい。
【０２６７】
特徴Ａ１１．前記規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記バンド部は、前記拘束状態となった場合に、少なくとも当該バンド部の一部が前記係合孔部から当該係合孔部への前記挿入方向における先側に突出するように構成されており、
前記バンド部において前記係合孔部から突出する余剰部分によって前記両ケース構成体の分離側への相対変位が規制されることを特徴とする特徴Ａ１０に記載の遊技機。
【０２６８】
特徴Ａ１１によれば、バンド部の余剰部分を利用して両ケース構成体の分離を規制することにより、規制手段に同機能を付与したとしても、それに起因して規制手段の拘束機能が低下することを抑えることができる。
【０２６９】
特徴Ａ１２．前記両ケース構成体には、前記係合孔部に連通するとともに、前記バンド部において前記係合孔部から突出している部分が挿入される一連の通路部（連通孔１５５，２５５）が形成されており、
前記通路部は、前記規制手段が前記拘束状態となっている場合に、前記バンド部の前記余剰部分が前記両ケース構成体に跨る位置に到達するように構成されており、
前記第１ケース構成体において前記通路部を構成する第１壁部が前記余剰部分に対して一方側から当接するとともに、前記第２ケース構成体において前記通路部を構成する第２壁部が前記余剰部分に対して前記第１壁部とは反対側から当接することにより、前記両ケース構成体の分離が規制されることを特徴とする特徴Ａ１１に記載の遊技機。
【０２７０】
特徴Ａ１２によれば、両ケース構成体に形成された一連の通路部に対して余剰部分が挿入され、同余剰部分に対して第１壁部及び第２壁部が当接することで、両ケース構成体の分離が規制される。バンド部においてハーネスを拘束している部分ではなく、余剰となっている部分を活用することで、ハーネスの拘束機能と、基板ケースの分離規制機能とを好適に共存させることができる。
【０２７１】
また、係合孔部にバンド部を押し込む作業によって両ケース構成体の分離を規制することができ、基板ケースの分離規制機能を付与することでハーネスの拘束作業が難しくなるといった不都合を生じにくくすることができる。
【０２７２】
特徴Ａ１３．前記係合孔部は、前記バンド部との係合状態となっている場合には、当該係合孔部に対する同バンド部の挿入方向への当該バンド部の変位を許容するとともに、同挿入方向とは反対側への同バンド部の変位を不可とするように構成されており、
前記通路部は、前記バンド部の前記挿入方向における先側に開放されていることを特徴とする特徴Ａ１２に記載の遊技機。
【０２７３】
制御基板等の確認を目的として制御装置を遊技機から取り外す場合には、先ずバンド部においてハーネスを拘束している部分を切断してハーネスを基板ケースから取り外す。次に、バンド部において係合孔部に残存している部分（例えば上記余剰部分）を通路部の開放部分から引き抜くことで、当該バンド部による両ケース構成体の分離規制が解除される。規制手段による両ケース構成体の分離規制を解除した場合には、基板ケース（詳しくは規制手段のバンド部）に破壊痕跡が残存することとなる。これにより、基板ケースが開封された事実を事後的に確認可能となる。
【０２７４】
特徴Ａ１４．前記規制手段は、前記拘束状態となっている状況下にて前記バンド部の先端が前記通路部の前記開放部分から突出した状態となるように形成されていることを特徴とする特徴Ａ１３に記載の遊技機。
【０２７５】
特徴Ａ１３に示したようにバンド部を切断した後（破壊痕跡が形成された後）は、バンドが２つに分断される。ここで、上述したバンド部の引き抜き操作を行う際に、開放部分から突出している部分を引っ張ることで、ケース構成体の分離規制機能が付与されている部分を引き抜くことができる。このように、バンド部の一部を通路部から突出させておくことで、分離規制の解除作業の容易化に貢献することができる。
【０２７６】
特徴Ａ１５．前記通路部は前記両ケース構成体を貫通する孔状をなしていることを特徴とする特徴Ａ１３又は特徴Ａ１４に記載の遊技機。
【０２７７】
特徴Ａ１３等に示したように、通路部が挿通孔側とは反対に開放されている構成においては、当該開放部分を通じて係合孔部への不正なアクセスがなされることが懸念される。これは、拘束状態の不正解除の足掛かりとなるため好ましくない。そこで、通路部を孔状とすれば、当該通路部に挿通されたバンド部の余剰部分を回避しながら上記係合箇所へアクセスすることが困難になる。これにより、防犯機能を好適に担保することができる。
【０２７８】
特徴Ａ１６．前記通路部は、前記第１ケース構成体に設けられた第１通路部（表側連通孔１５５）と、前記第２ケース構成体に設けられた第２通路部（裏側連通孔２５５）とによって構成されており、
前記第１通路部は、前記係合孔部と前記第２通路部との間に存在していることを特徴とする特徴Ａ１２乃至特徴Ａ１５のいずれか１つに記載の遊技機。
【０２７９】
特徴Ａ１６によれば、バンド部を変位ストッパとして利用した場合のストッパ機能の安定化を図りつつ、負荷が拘束機能に影響を与えることを好適に抑えることができる。
【０２８０】
特徴Ａ１７．前記第１ケース構成体に設けられ、前記規制手段が設置される設置部（取付ベース７０の表側ベース部１５０）を備え、
前記設置部は、前記両ケース構成体が相互に組み付けられることにより当該設置部からの前記規制手段の取り外しが規制される設置完了位置と、当該設置部からの前記規制手段の取り外しが許容される取外許容位置との両位置間における前記規制手段の変位を許容するものであり、
前記規制手段が前記設置完了位置から前記取外許容位置へ変位する場合に、同規制手段の変位方向が所定の案内方向となるようにして当該規制手段を案内する規制手段用案内部（収容部１５１の内壁面や覆い部１５３等）を備え、
前記規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記バンド部は、前記拘束状態となった場合に、少なくとも当該バンド部の一部が前記係合孔部から突出するように構成されており、
前記係合孔部は、前記規制手段用案内部による前記案内方向と交差する方向に延びており、前記拘束状態となった場合に、少なくとも当該バンド部の一部が前記係合孔部から突出するように構成されており、
前記第１ケース構成体には、前記係合孔部に連通する連通孔（例えば連通孔１５５）が形成されており、
少なくとも前記拘束状態となっている場合には前記バンド部において前記係合孔部から突出する余剰部分が前記連通孔に挿入され、前記余剰部分が前記連通孔に対して当接することで前記規制手段の前記取外許容位置への変位が規制されることを特徴とする特徴Ａ２乃至特徴Ａ１６のいずれか１つに記載の遊技機。
【０２８１】
特徴Ａ１６によれば、規制手段によってハーネスを拘束した場合には、バンド部の余剰部分により、基板ケースからの規制手段の取り外しが規制されることとなる。これにより、ハーネスを規制手段ごと基板ケースから取り外すといった行為を困難なものとし、防犯機能の向上に貢献することができる。
【０２８２】
特徴Ａ１８．前記第１ケース構成体に設けられ、前記規制手段が設置される設置部（取付ベース７０の表側ベース部１５０）を備え、
前記設置部は、前記両ケース構成体が相互に組み付けられることにより当該設置部からの前記規制手段の取り外しが規制される設置完了位置と、当該設置部からの前記規制手段の取り外しが許容される取外許容位置との両位置間における前記規制手段の変位を許容するものであり、
前記規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記設置部は、前記拘束手段における少なくとも前記係合部を収容可能な凹状をなしており、
前記第１ケース構成体における前記設置部の開放部分の周辺であって前記取外許容位置へ向けた変位方向の先側となる部分に設けられ、前記バンド部が挿通される挿通部（挿通部１６１）を備え、
前記バンド部が前記挿通部に挿通された状態にて、前記規制手段が前記取外許容位置へ変位した場合には、前記設置部が開放されている側へ同規制手段が同挿通部によって誘導されることを特徴とする特徴Ａ２乃至特徴Ａ１６のいずれか１つに記載の遊技機。
【０２８３】
特徴Ａ１８によれば、バンド部によって第１ケース構成体（挿通部）とハーネスとを共締めすることにより、ハーネス及び第１ケース構成体を一体化することができる。これにより、ハーネスを拘束手段ごと基板ボックスから取り外すといった行為を難しくすることができる。
【０２８４】
また、設置部を凹状とし、その内部に規制手段（詳しくは係合孔部）を収容することにより、当該係合孔部の露出を抑えることができる。これにより、係合孔部へのアクセスを制限し、拘束状態が不正に解除されるといった不都合を生じにくくすることができる。
【０２８５】
しかしながら、かかる構成においては、係合孔部が設置部に収容されることで、当該設置部から規制手段を取り外しにくくなると想定される。そこで、規制手段が取外許容位置への変位によって設置部の開放部位側へ変位する構成とすれば、当該規制手段を取り外す際には規制手段が開放部位側へと浮き上がることで、作業を容易に進めることができる。これにより、防犯機能の向上を図りつつ、それに起因して規制手段の取外作業が難しくなることを抑制できる。
【０２８６】
上記特徴Ａ群は以下の課題に対して適用すると効果的である。
【０２８７】
パチンコ機やスロットマシン等の遊技機は、遊技に関する制御処理を実行する制御装置を備えている。制御装置は、各種センサ，他の制御装置，払出装置等の遊技機器に対してハーネスにより電気的に接続されている。そして、それら遊技機器からの信号に基づいて各種制御を行ったり、同遊技機器に対して各種信号を出力したりする。
【０２８８】
この種の遊技機では、制御装置等が遊技者や遊技ホールの利益等に関係していることが多く、それら制御装置等に対する不正行為に対処すべく、例えば制御基板を収容する基板ケースに封印構造（いわゆる、カシメ構造）を設けて基板ケースの開封時には破壊等による開封痕跡を残すようにする等の不正対策が採用されている（例えば特開２００３−１８０９１７号公報参照）。
【０２８９】
しかしながら、上述したような不正対策がなされた遊技機においては制御基板等へ直接アクセスすることが困難になるものの、各種信号の伝達にハーネスを採用しているため当該ハーネスが制御基板等に対する不正の足掛かりとして狙われやすくなると懸念される。例えばハーネスを不正なものと交換して信号を改ざんしたり制御装置等を誤作動させたりすることにより、制御装置等に対して直接アクセスすることなく、利益の不正取得等がなされる可能性がある。
【０２９０】
特徴Ｂ１．遊技に関する制御を行う制御基板（音声ランプ制御基板６７）と、内部空間が形成されており、その内部空間に前記制御基板を収容する基板ケース（基板ボックス６８）と、を有する制御装置（音声ランプ制御装置６６等）を備え、
前記基板ケースは、相互に組み合わされることにより前記内部空間の少なくとも一部を形成する第１ケース構成体（表側構成体１００）及び第２ケース構成体（裏側構成体２００）を有し、
前記制御装置と、当該制御装置とは別に設けられた遊技機器（例えば主制御装置６２）と、がハーネス（ハーネスＨ）によって電気的に接続される遊技機において、
前記制御装置からの前記ハーネスの取り外しを規制する規制手段（拘束部材３００）を備え、
前記規制手段は、前記ハーネスの取り外しを規制している状態で前記第１ケース構成体及び前記第２ケース構成体の分離を規制するものであることを特徴とする遊技機。
【０２９１】
制御装置と遊技機器とをハーネスによって電気的に接続する構成においては、制御装置に対する不正行為の足掛かりとしてハーネスが狙われやすくなる。例えばハーネスを不正なものと交換することにより、信号を改ざんしたり制御装置等を誤作動させたりするといった行為が行われると懸念される。そこで、規制手段によってハーネスの取り外しを不可とすることにより、それら不都合の発生を抑えることができる。
【０２９２】
本特徴においては、両ケース構成体の分離が規制手段によって規制されることとなる。これにより、ケース構成体を分離して、ハーネスを規制手段ごと不正なものに交換するといった行為を難しくすることができる。また、規制手段にハーネスの取り外しを規制する機能と両ケース構成体の分離を規制する機能とを付与することにより、構成の複雑化を抑えつつハーネス及び制御基板に対する不正行為を抑制することが可能となる。
【０２９３】
特徴Ｂ２．前記規制手段は、前記基板ケースからの前記ハーネスの取り外しを規制する位置に装着されることで、前記両ケース構成体の分離を規制する状態となることを特徴とする特徴Ｂ１に記載の遊技機。
【０２９４】
特徴Ｂ２によれば、ハーネスの取り外しを規制することにより、ケース構成体の分離が規制される。このように、ハーネスの取外規制にかかる操作によって両ケース構成体の分離が規制されることにより、防犯機能の向上を図りつつそれに起因した作業性の低下を抑えることができる。
【０２９５】
例えば、規制手段によるハーネスの取外規制を解除することで、両ケース構成体の分離規制が解除される又は解除可能となるように構成するとよい。
【０２９６】
特徴Ｂ３．前記規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記バンド部は、前記拘束状態となった場合に、少なくとも当該バンド部の一部が前記係合孔部から突出するように構成されており、
前記バンド部において前記係合孔部から突出する部分によって前記両ケース構成体の分離側への相対変位が規制されることを特徴とする特徴Ｂ１又は特徴Ｂ２に記載の遊技機。
【０２９７】
特徴Ｂ３によれば、バンド部を係合孔部に挿入することでハーネスを拘束することができる。ここで、係合孔部から突出している部分を利用して両ケース構成体の分離を規制することにより、ハーネスの拘束機能とケース構成体の分離規制機能とを共存させることが可能となり、特徴Ｂ１等に示した技術的思想を好適に実現することができる。
【０２９８】
特徴Ｂ４．前記両ケース構成体には、前記係合孔部に連通するとともに、前記バンド部において前記係合孔部から突出している部分が挿入される一連の通路部（連通孔１５５，２５５）が形成されており、
前記通路部は、前記規制手段が前記拘束状態となっている場合に、前記バンド部において前記係合孔部から突出している部分が前記両ケース構成体に跨る位置に到達するように構成されており、
前記第１ケース構成体において前記通路部を構成する第１壁部が前記突出している部分に対して一方側から当接するとともに、前記第２ケース構成体において前記通路部を構成する第２壁部が前記突出している部分に対して前記第１壁部とは反対側から当接することにより、前記両ケース構成体の分離が規制されることを特徴とする特徴Ｂ３に記載の遊技機。
【０２９９】
特徴Ｂ４によれば、両ケース構成体に形成された一連の通路部に対してバンド部の一部（係合孔部から突出している部分）が挿入され、当該バンド部に対して第１壁部及び第２壁部が当接することで、両ケース構成体の分離が規制される。これにより、基板ケースを開放して制御基板へ不正にアクセスするといった行為を抑制することができる。
【０３００】
また、一連となる係合孔部及び通路部にバンド部を押し込む作業によって両ケース構成体の分離を規制することができ、基板ケースの分離規制機能を付与することでハーネスの拘束作業が難しくなるといった不都合を生じにくくすることができる。
【０３０１】
特徴Ｂ５．前記通路部は、前記係合孔部に対して前記バンド部の挿入方向における先側に配されており、
前記バンド部において前記係合孔部から前記挿入方向の先側へ突出する余剰部分によって前記両ケース構成体の分離側への相対変位が規制されることを特徴とする特徴Ｂ４に記載の遊技機。
【０３０２】
特徴Ｂ５によれば、バンド部においてハーネスの拘束機能が付与されている部分とケース構成体の分離規制機能が付与されている部分とを係合部（挿通孔）を境に区別できる。バンド部における余剰部分を利用して両ケース構成体の分離規制を行うことにより、バンド部に上記分離規制機能を付与することに起因して拘束機能が低下するといった不都合を生じにくくすることができる。
【０３０３】
特徴Ｂ６．前記係合孔部は、前記バンド部との係合状態となっている場合には、当該係合孔部に対する同バンド部の挿入方向への当該バンド部の変位を許容するとともに、同挿入方向とは反対側への同バンド部の変位を不可とするように構成されており、
前記通路部は、前記バンド部の挿入方向における先側に開放されていることを特徴とする特徴Ｂ５に記載の遊技機。
【０３０４】
制御基板等の確認を目的として制御装置を遊技機から取り外す場合には、先ずバンド部においてハーネスを拘束している部分を切断することにより、ハーネスを基板ケースから取り外す。次に、バンド部において係合孔部に残存している部分（例えば上記余剰部分）を通路部の開放部分から引き抜くことで、当該バンド部による両ケース構成体の分離規制が解除されることとなる。このように、バンド部の切断→余剰部分の引き抜きによって分離規制の解除を可能とすることで、解除作業の簡素化に貢献することができる。
【０３０５】
なお、規制手段による両ケース構成体の分離規制を解除した場合には、基板ケース（詳しくは規制手段）に破壊痕跡が残存することとなる。これにより、基板ケースが開封された事実を事後的に確認可能となる。
【０３０６】
特徴Ｂ７．前記規制手段は、前記拘束状態となった場合に、前記バンド部の先端が前記通路部の前記開放部分から突出するようにして形成されていることを特徴とする特徴Ｂ６に記載の遊技機。
【０３０７】
特徴Ｂ６に示したようにバンド部を切断した後（破壊痕跡が形成された後）は、バンドが２つに分断される。ここで、上述したバンド部の引き抜き操作を行う際に、開放部分から突出している部分を引っ張ることで、ケース構成体の分離規制機能が付与されている部分を引き抜くことができる。このように、バンド部の一部を通路部から突出させておくことで、分離規制の解除作業の容易化に貢献することができる。
【０３０８】
特徴Ｂ８．前記規制手段は、バンド部（バンド３１０）と当該バンド部を挿入可能に形成され挿入された同バンド部に係合する係合孔部（本体部３２０の係合孔３２１）とを有し、それらバンド部及び係合孔部が係合することでハーネスを拘束する拘束状態となるように形成されており、
前記バンド部には、当該バンド部における他の部位よりも破壊が容易な脆弱部（脆弱部３１２）が形成されており、
前記脆弱部は、前記拘束状態となっている場合に、前記係合孔部に対する係合部位よりも前記ハーネス寄りに位置するようにして構成されていることを特徴とする特徴Ｂ１乃至特徴Ｂ７のいずれか１つに記載の遊技機。
【０３０９】
バンド部及び係合孔部によってハーネスを拘束する構成においては、バンド部において係合孔部から突出している部位を同係合孔部への挿入方向とは反対側へ引っ張る等することで、それらバンド部及び係合孔部の係合が無理矢理解除され得る。仮に、このような行為がなされた場合には、その事実を事後的に確認することが困難になる。つまり、ハーネスや制御基板に対する不正行為が行われた場合であっても、遊技機のメンテナンス作業や確認作業時にその事実を把握することが難しくなる。
【０３１０】
この点、本特徴によれば、バンド部においてハーネスを拘束している部分を引っ張る等して無理矢理に拘束状態（分離規制状態）を解除させようとした場合には、脆弱部が破壊されることとなる。これにより、不正行為（痕跡）の隠蔽を困難にすることができる。
【０３１１】
特に、特徴Ｂ５等との組み合わせ（通路部が係合孔部に対してバンド部の挿入方向における先側に配されている構成）においては、脆弱部が係合部位よりもハーネス寄りに位置しているため（脆弱部よりも前記バンド部における挿入先端部分とは反対側の端部寄りに位置しているため）、分離されたバンド部の一部（詳しくは分離規制機能が付与されている部分）が係合孔部及び通路部内に残った状態となる。これにより、両ケース構成体を不正に分離させるといった行為を妨げることができる。
【０３１２】
なお、例えば脆弱部の強度をバンド部と係合部との係合強さよりも小さく設定するとよい。
【０３１３】
特徴Ｂ９．前記バンド部には、当該バンド部における他の部位よりも破壊が容易な脆弱部（脆弱部３１２）が形成されており、
前記規制手段は、前記バンド部によって前記ハーネスが拘束されている場合に、前記脆弱部が前記係合孔部内に位置するようにして構成されていることを特徴とする特徴Ｂ５乃至特徴Ｂ８のいずれか１つに記載の遊技機。
【０３１４】
バンド部及び係合孔部によってハーネスを拘束している場合、バンド部において係合孔部から突出している部位を同係合孔部への挿入方向とは反対側へ引っ張る等することで、それらバンド部及び係合孔部の係合が無理矢理解除され得る。仮に、このような行為がなされた場合には、その事実を事後的に確認することが困難になる。つまり、ハーネスや制御基板に対する不正行為が行われた場合であっても、遊技機のメンテナンス作業や確認作業時にその事実を把握することが難しくなる。
【０３１５】
この点、本特徴によれば、バンド部においてハーネスを拘束している部分を引っ張る等して無理矢理に拘束状態（分離規制状態）を解除させようとした場合には、脆弱部が破壊されることとなる。これにより、不正行為（痕跡）の隠蔽を困難にすることができる。
【０３１６】
しかしながら、このような脆弱部を採用している場合であっても、係合部位と脆弱部との間となる部位をペンチ等の工具によって挟んで引っ張ることにより、脆弱部に対して負荷が生じないようにして上記不正な係合解除が実行され得る。
【０３１７】
そこで、本特徴においては、脆弱部を係合孔部内に収容し、基板ケース外への露出を抑える構成とした。これにより、バンド部における上記係合部位と脆弱部との間となる部位を掴んで引っ張るといった行為を難しくし、当該脆弱部による不正防止機能が無効化されることを回避できる。また、脆弱部の所在を分かりにくくすることによる防犯機能の向上も期待できる。
【０３１８】
特徴Ｂ１０．前記第１ケース構成体及び前記第２ケース構成体が相対変位する場合に、それら両ケース構成体の変位方向が所定の案内方向となるように案内するケース構成体用案内部（フック部２２１及び受け部１２１）を備え、
前記バンド部は、前記拘束状態となっている場合に前記ハーネスを囲む環状部位を形成するものであり、
前記環状部位の中心軸線は、前記案内方向と同じ方向に延びており、
前記バンド部は、前記案内方向における厚さ寸法が、前記係合孔部への前記挿入方向及び前記案内方向の両方向に直交する方向における厚さ寸法よりも大きく設定されていることを特徴とする特徴Ｂ３乃至特徴Ｂ９のいずれか１つに記載の遊技機。
【０３１９】
バンド部によってハーネスを囲む環状部位を形成する構成においては、バンド部の撓み変形を容易とすることが望ましい。しかしながら、単に撓み変形を容易とした場合には、上記分離規制機能の担保が難しくなると想定される。
【０３２０】
この点、本特徴によれば、ハーネスを拘束する場合には、相対的に厚さ寸法が小さく設定されている側へ同バンド部を撓ませることにより上記環状部位を形成することができる。また、案内方向と同じ方向での厚さ寸法は相対的に大きく設定されているため、ケース構成体の分離を妨げる際の同バンド部の変形を抑えることができる。これにより、ハーネスを拘束する際の作業の容易化と分離規制機能の担保とを好適に両立することができる。
【０３２１】
特徴Ｂ１１．前記通路部は、
前記第１ケース構成体に設けられた第１通路部（表側連通孔１５５）と、
前記第２ケース構成体に設けられ、前記第１通路部に連なる第２通路部（裏側連通孔２５５）と
を有してなり、
前記第１通路部及び前記第２通路部の少なくとも何れかは、それら第１通路部及び第２通路部の並設方向と交差する方向への前記バンド部の変位を規制するようにして形成された孔状をなしていることを特徴とする特徴Ｂ４乃至特徴Ｂ９のいずれか１つに記載の遊技機。
【０３２２】
特徴Ｂ１１によれば、第１通路部（第１壁部）及び第２通路部（第２壁部）によって押されたバンド部が変形／変位することを抑え、分離規制機能を好適に発揮させることができる。
【０３２３】
また、特徴Ｂ６等（通路部の開放部位からバンド部の欠片を引き抜く構成）との組み合わせにおいては特に、通路部を通じた挿入孔へのアクセスを難しくして拘束状態を不正に解除するといった行為を困難なものとすることができる。
【０３２４】
なお、本特徴に示す技術的思想を上記特徴Ｂ１０（詳しくは特徴Ｂ４等の通路部を有する構成との組み合せ）に適用することも可能である。
【０３２５】
特徴Ｂ１２．前記バンド部による前記ハーネスの拘束状態を解除することにより、当該バンド部による前記両ケース構成体の分離規制が解除される又は分離規制の解除が許容されることを特徴とする特徴Ｂ４乃至特徴Ｂ１１のいずれか１つに記載の遊技機。
【０３２６】
制御基板の検査等を行う場合には、制御装置を遊技機から取り外すことで、作業を容易に進めることができる。この際、ハーネスの拘束を解除すれば、バンド部による両ケース構成体の分離規制が解除される又は分離規制の解除が許容されることとなるため、検査等にかかる一連の作業（ハーネス除去→制御装置の取り外し→基板ケースの開封→制御基板の取り出し）の円滑化に貢献することができる。
【０３２７】
特徴Ｂ１３．前記第１ケース構成体及び前記第２ケース構成体の分離を阻害するように設けられ、当該阻害状態が解除された場合に前記分離の痕跡を残存させる痕跡部を備え、
前記バンド部は第１バンド部、前記係合部は第１係合部であり、
前記規制手段は、帯状をなす第２バンド部と前記第２バンド部に係合する第２係合部とを有し、それら第２バンド部及び第２係合部が係合することでハーネスを拘束する拘束状態となるように形成されており、
前記第２バンド部は、前記拘束状態となった場合であっても、前記ケース構成体同士の分離を規制しない構成となっており、
前記痕跡部によって前記両ケース構成体の分離が阻害されている場合には、前記第２バンド部及び前記第２係合部によって前記ハーネスが拘束されており、
前記痕跡部によって前記両ケース構成体の分離が阻害されていない場合には、前記第１バンド部及び前記第１係合部によって前記ハーネスが拘束されていることを特徴とする特徴Ｂ４乃至特徴Ｂ１１のいずれか１つに記載の遊技機。
【０３２８】
痕跡部により両ケース構成体の分離が阻害されていない場合に第１バンド部及び第１係合部を使用して、同第１バンド部により両ケース構成体の分離を規制する構成をすれば、防犯機能を担保しつつ、開封作業が複雑になることを抑制できる。
【０３２９】
一方、制御装置を遊技機に対してはじめて搭載する場合には、制御装置が単独で存在する期間を考慮して単独で成立する痕跡部を使用すればよい。このように痕跡部により保護されている場合には、第２バンド部及び第２係合部を使用することで、その後の開封作業時の作業効率を高めることができる。
【０３３０】
上記特徴Ｂ群は以下の課題に対して適用すると効果的である。
【０３３１】
パチンコ機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。制御基板は、基板ケースに収容された状態で遊技機に取り付けられており、同制御基板の基板ケース外への露出等が抑制されている。
【０３３２】
この種の遊技機では、制御基板そのものや同制御基板のＲＯＭ（ＲＯＭがＣＰＵと共に１チップ化されている場合には当該チップ）が正規のものとは異なる不正なものに交換されるといった不正行為が数多く報告されている。このような不正行為に対処すべく、例えば、上記基板ケースに封印構造（いわゆる、カシメ構造）を設けて基板ケースの開封時には破壊等による開封痕跡を残すようにする等の不正対策が採用されている（例えば特特開２００３−１８０９１７号公報参照）。このような不正対策は、基板ケースが開封された事実や制御基板が交換された事実を目視確認する場合にその確認作業を補助するものであり、またこのような不正対策の存在により不正行為を躊躇させる効果がある。
【０３３３】
しかしながら、上記封印構造等の不正対策が施されていても、未だに不正行為が行われているのが実状であり、制御装置における防犯機能の向上については未だ改善の余地がある。
【０３３４】
本発明は、上記例示した事情等に鑑みてなされたものであり、制御基板に対する不正行為を好適に抑制することが可能な遊技機を提供することを目的とするものである。
【０３３５】
以下に、以上の各特徴を適用し得る遊技機の基本構成を示す。
【０３３６】
パチンコ遊技機：遊技者が操作する操作手段（ハンドル装置５９）と、その操作手段の操作に基づいて遊技球を発射する遊技球発射手段（遊技球発射機構５０）と、その発射された遊技球を所定の遊技領域に導く球通路（レール部４７，４８によって挟まれた領域）と、遊技領域内に配置された各遊技部品（釘４０等）とを備え、それら各遊技部品のうち所定の通過部（一般入賞口３４等）を遊技球が通過した場合に遊技者に特典を付与する遊技機。
【０３３７】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０３３８】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０３３９】
１０…遊技機としてのパチンコ機、６２…遊技機器としての主制御装置、６６…制御装置としての音声ランプ制御装置、６７…制御基板としての音声ランプ制御基板、６８…基板ケースとしての基板ボックス、７０…取付ベース、１００…第１ケース構成体としての表側構成体、１２１…ケース構成体用案内部を構成する受け部、１５０…設置部を構成する表側ベース部、１５１…収容部、１５２…拘束規制手段を構成する底部、１５３…規制手段用案内部を構成する覆い部、１５５…挿入部又は連通部としての表側連通孔、２００…第２ケース構成体としての裏側構成体、２２１…ケース構成体用案内部を構成するフック部、２５２…変位規制部としてのストッパ部、２５５…通路部を構成する連通孔、３００…規制手段としての拘束部材、３１０…バンド部としてのバンド、３１１…歯部、３１２…脆弱部、３２０…本体部、３２１…係合孔部としての係合孔、３２４…突起、Ｃ１…コネクタ部としてのコネクタ、ＣＡ…ケーブル部としてのケーブル、Ｈ…ハーネス。
【図１】
0005999170.tif 000002
【図２】
0005999170.tif 000003
【図３】
0005999170.tif 000004
【図４】
0005999170.tif 000005
【図５】
0005999170.tif 000006
【図６】
0005999170.tif 000007
【図７】
0005999170.tif 000008
【図８】
0005999170.tif 000009
【図９】
0005999170.tif 000010
【図１０】
0005999170.tif 000011
【図１１】
0005999170.tif 000012
【図１２】
0005999170.tif 000013
【図１３】
0005999170.tif 000014
【図１４】
0005999170.tif 000015
【図１５】
0005999170.tif 000016
【図１６】
0005999170.tif 000017
【図１７】
0005999170.tif 000018
【図１８】
0005999170.tif 000019
【図１９】
0005999170.tif 000020
【図２０】
0005999170.tif 000021
【図２１】
0005999170.tif 000022
【図２２】
0005999170.tif 000023
【図２３】
0005999170.tif 000024
【図２４】
0005999170.tif 000025
【図２５】
0005999170.tif 000026
【図２６】
0005999170.tif 000027